(57)【要約】      （修正有）【課題】ワイヤレス通信システム内での低レイテンシ通信のための方法、システム、およびデバイスを提供する。【解決手段】ｅＮＢおよび／またはＵＥは、ワイヤレス通信システム内で動作するように構成され、第１のサブフレームタイプと第２のサブフレームタイプとを有する送信をサポートするワイヤレス通信ネットワークにおける専用リソースを使用して、通信を開始するためのトリガを送る。第１のサブフレームタイプは、第１の持続時間のシンボルを備え、第２のサブフレームタイプは、第１の持続時間よりも短い第２の持続時間のシンボルを備える。通信は、専用リソースを使用してＵＥまたはｅＮＢからトリガを送信し、トリガに続いて通信を開始することによって開始される。トリガと通信開始との間の持続時間は、レガシーＬＴＥ通信を使用して通信を開始するための時間よりも著しく短くなる。【選択図】図８Ａ
2018198450.tif 000002
【特許請求の範囲】
【請求項１】
ワイヤレス通信のための方法であって、
複数のサブフレームを有するフレームにおいて、第１のサブフレームタイプと第２のサブフレームタイプとを有する送信をサポートするワイヤレス通信ネットワークにおける通信を確立することと、ここで、前記第１のサブフレームタイプが第１の持続時間のシンボルを備え、前記第２のサブフレームタイプが、前記第１の持続時間よりも短い第２の持続時間のシンボルを備え、
前記フレームのサブフレームにおいて前記第１のサブフレームタイプを有する送信の間に、前記第２のサブフレームタイプを有する送信を、前記フレームにおいて、開始するためのトリガについて所定のワイヤレス通信リソースを監視することと
を備える、ワイヤレス通信のための方法。
【請求項２】
前記トリガが受信されたと決定することと、
前記第２のサブフレームタイプを有する送信を受信することと
をさらに備え、
前記決定することと前記受信することとの間のレイテンシが、前記第１のサブフレームタイプを有する送信を開始することと、前記第１のサブフレームタイプを有する送信を受信することとの間のレイテンシよりも小さい、
請求項１に記載の方法。
【請求項３】
前記監視することが、前記トリガについて専用周波数リソースを監視することを備え、前記専用周波数リソースが、前記監視することのために連続的に利用可能な専用周波数分割多重化（ＦＤＭ）サブバンドを備える、請求項１に記載の方法。
【請求項４】
前記監視することが、前記トリガについて専用周波数リソースを監視することを備え、前記専用周波数リソースの帯域幅が、前記専用周波数リソースを使用して前記トリガを送信または受信するように構成されたデバイスの数に基づく、請求項１に記載の方法。
【請求項５】
前記監視することが、前記トリガについて専用周波数リソースを監視することを備え、前記専用周波数リソースが、ＦＤＭリソースの２つまたはそれ以上の不連続リソースブロックを備える、請求項１に記載の方法。
【請求項６】
前記監視することは、
前記トリガについて専用時間リソースを監視すること、ここにおいて、前記専用時間リソースが、時分割多重化（ＴＤＭ）サブフレームのあらかじめ定義された部分を備え、前記あらかじめ定義された部分が、前記第１の持続時間を有する前記ＴＤＭサブフレームの１つまたは複数のシンボルを備え、前記ＴＤＭサブフレームの前記１つまたは複数のシンボルが、前記ＴＤＭサブフレームの第１のシンボルと前記ＴＤＭサブフレームの第２のシンボルとを備え、前記１つまたは複数のシンボルに続く前記ＴＤＭサブフレームの少なくとも１つの後続のシンボルが、前記第２の持続時間を有する、
を備える、請求項１に記載の方法。
【請求項７】
前記監視することがユーザ機器（ＵＥ）によって実行され、前記方法は、
前記トリガが受信されたと決定することと、
前記ＵＥにおいて前記第２のサブフレームタイプを有する１つまたは複数のサブフレームを受信するために使用されるべきである送信リソースを決定することと
をさらに備え、
前記トリガが受信されたと前記決定することは、
前記ＵＥに関連付けられたあらかじめ定義されたリソース上で前記トリガが受信されたと決定すること、または
前記ＵＥを識別する識別情報を前記トリガが含むと決定すること
のうちの１つまたは複数を備える、請求項１に記載の方法。
【請求項８】
前記監視することが基地局によって実行され、前記方法は、
前記トリガがユーザ機器（ＵＥ）から受信されたと決定することと、
前記第２のサブフレームタイプを有する１つまたは複数のサブフレームを送信するためのリソースの割当てを前記ＵＥに送信することと
をさらに備える、請求項１に記載の方法。
【請求項９】
前記トリガが、
ＵＥ識別情報、
遅延要件、または
帯域幅要件
のうちの１つまたは複数を備える、請求項８に記載の方法。
【請求項１０】
前記トリガが前記ＵＥから受信されたと前記決定することは、
２つまたはそれ以上のトリガが２つまたはそれ以上のＵＥから受信されたと決定することと、
前記２つまたはそれ以上のＵＥ間の競合を解決することと
を備え、
前記割当てを前記送信することが、前記２つまたはそれ以上のＵＥ間の競合を前記解決することに応答して、リソースの前記割当てを前記２つまたはそれ以上のＵＥのうちの１つに送信することを備える、
請求項８に記載の方法。
【請求項１１】
前記監視することが基地局によって実行され、前記方法は、
前記トリガがユーザ機器（ＵＥ）から受信されたと決定することと、
前記第２のサブフレームタイプを有するサブフレームを備える自律送信を前記ＵＥから受信することと
をさらに備える、請求項１に記載の方法。
【請求項１２】
ワイヤレス通信のための方法であって、
複数のサブフレームを有するフレームにおいて、第１のサブフレームタイプと第２のサブフレームタイプとを有する送信をサポートするワイヤレス通信ネットワークにおける通信を確立することと、ここで、前記第１のサブフレームタイプが第１の持続時間のシンボルを備え、前記第２のサブフレームタイプが、前記第１の持続時間よりも短い第２の持続時間のシンボルを備え、
前記第２のサブフレームタイプを有する１つまたは複数のサブフレームを使用してデータが送信されるべきであると決定することと、
前記第１のサブフレームタイプを有する送信の間に、前記第２のサブフレームタイプを有する送信を、前記フレームにおいて、開始するために、所定のワイヤレス通信リソースを使用してトリガを送信することと
を備える、ワイヤレス通信のための方法。
【請求項１３】
前記方法が基地局によって実行され、前記方法が、
前記トリガに続いて、前記第２のサブフレームタイプを有する前記１つまたは複数のサブフレームを送信すること
をさらに備える、請求項１２に記載の方法。
【請求項１４】
ワイヤレス通信のための装置であって、
複数のサブフレームを有するフレームにおいて、第１のサブフレームタイプと第２のサブフレームタイプとを有する送信をサポートするワイヤレス通信ネットワークにおける通信を確立するための手段と、ここで、前記第１のサブフレームタイプが第１の持続時間のシンボルを備え、前記第２のサブフレームタイプが、前記第１の持続時間よりも短い第２の持続時間のシンボルを備え、
前記フレームのサブフレームにおいて前記第１のサブフレームタイプを有する送信の間に、前記第２のサブフレームタイプを有する送信を、前記フレームにおいて、開始するためのトリガについて所定のワイヤレス通信リソースを監視するための手段と
を備える、ワイヤレス通信のための装置。
【請求項１５】
ワイヤレス通信のための装置であって、
複数のサブフレームを有するフレームにおいて、第１のサブフレームタイプと第２のサブフレームタイプとを有する送信をサポートするワイヤレス通信ネットワークにおける通信を確立するための手段と、ここで、前記第１のサブフレームタイプが第１の持続時間のシンボルを備え、前記第２のサブフレームタイプが、前記第１の持続時間よりも短い第２の持続時間のシンボルを備え、
前記第２のサブフレームタイプを有する１つまたは複数のサブフレームを使用してデータが送信されるべきであると決定するための手段と、
前記第１のサブフレームタイプを有する送信の間に、前記第２のサブフレームタイプを有する送信を、前記フレームにおいて、開始するために、所定のワイヤレス通信リソースを使用してトリガを送信するための手段と
を備える、ワイヤレス通信のための装置。
【発明の詳細な説明】
【技術分野】
【０００１】
相互参照
[0001]本特許出願は、各々が本出願の譲受人に譲渡された、２０１５年３月３日に出願された、「Ultra Low Latency Design for LTE（登録商標）」と題する、Ｘｕらによる米国特許出願第１４／６３６，３６１号、および２０１４年３月２８日に出願された、「Ultra Low Latency Design for LTE」と題する、Ｘｕらによる米国仮特許出願第６１／９７２，１１１号の優先権を主張する。
【０００２】
[0002]以下は、一般にワイヤレス通信に関し、より詳細には、ワイヤレス通信システムにおける低レイテンシ通信のための技法に関する。
【背景技術】
【０００３】
[0003]ワイヤレス通信ネットワークは、いくつものモバイルデバイスのための通信をサポートすることができるいくつもの基地局を含み得る。モバイルデバイスは、ダウンリンク（ＤＬ）送信とアップリンク（ＵＬ）送信とを介して基地局と通信し得る。ダウンリンク（または順方向リンク）は、拡張ノードＢ（ｅＮＢ）などの基地局から、ユーザ機器（ＵＥ）とも呼ばれるモバイルデバイスへの通信リンクを指す。アップリンク（または逆方向リンク）は、モバイルデバイスから基地局への通信リンクを指す。
【０００４】
[0004]多元接続技術は、１つまたは複数のキャリア上でアップリンク通信とダウンリンク通信とを提供するために、周波数分割複信（ＦＤＤ）または時分割複信（ＴＤＤ）を使用し得る。ＴＤＤ動作は、対スペクトルリソース（paired spectrum resource）を必要としない比較的フレキシブルな展開を提供し得る。ＴＤＤフォーマットはデータのフレームの送信を含み、各フレームは、異なるサブフレームがアップリンクサブフレームまたはダウンリンクサブフレームであり得る、いくつかの異なるサブフレームを含む。ＴＤＤを使用して動作するシステムでは、アップリンク通信とダウンリンク通信とが非対称であり得る、異なるフォーマットが使用され得る。ＦＤＤ動作は、同時のアップリンク通信およびダウンリンク通信について異なるキャリアを利用する。
【０００５】
[0005]いくつかのワイヤレス通信ネットワークでは、基地局およびＵＥは、キャリアアグリゲーションと呼ばれることがある複数のキャリア上での動作をサポートし得る。キャリアアグリゲーションは、複数のコンポーネントキャリアをサポートする基地局とモバイルデバイスとの間のスループットを高めるために使用され得、モバイルデバイスは、複数の基地局に関連付けられた複数のコンポーネントキャリアを使用して通信するように構成され得る。
【０００６】
[0006]いくつかの事例では、モバイルデバイスが基地局との通信を開始する必要があり得るか、または基地局がモバイルデバイスとの通信を開始する必要があり得る。多くの既存の展開では、トリガと、トリガの後のデータ通信の開始との間の時間期間は、数ミリ秒の範囲にあり得る。いくつかの状況では、トリガと通信の開始との間の低減されたレイテンシを有することが望ましいことがある。
【発明の概要】
【０００７】
[0007]説明する特徴は、一般に、ワイヤレス通信システム内での低レイテンシ通信のための１つまたは複数の改善されたシステム、方法、およびデバイスに関する。ｅＮＢまたはＵＥあるいはその両方は、ワイヤレス通信システム内で動作するように構成され得、第１のサブフレームタイプと第２のサブフレームタイプとを有する送信をサポートするワイヤレス通信ネットワークにおける専用リソースを使用して通信を開始するためのトリガを送り得、第１のサブフレームタイプは第１の持続時間のシンボルを備え、第２のサブフレームタイプは、第１の持続時間よりも短い第２の持続時間のシンボルを備える。通信は、専用リソースを使用してＵＥまたはｅＮＢからトリガを送信し、トリガに続いて通信を開始することによって開始され得る。トリガと通信を開始することとの間の持続時間は、レガシーＬＴＥ（登録商標）通信を使用して通信を開始するための時間よりも著しく短いものとなり得る。
【０００８】
[0008]例示的な実施形態の第１のセットによれば、ワイヤレス通信のための方法は、第１のサブフレームタイプと第２のサブフレームタイプとを有する送信をサポートするワイヤレス通信ネットワークにおける通信を確立することであって、第１のサブフレームタイプが第１の持続時間のシンボルを含み、第２のサブフレームタイプが、第１の持続時間よりも短い第２の持続時間のシンボルを含む、確立することと、第２のサブフレームタイプを有する送信を開始するためのトリガについて所定のワイヤレス通信リソースを監視することとを含み得る。いくつかの例では、本方法はまた、トリガが受信されたと決定することと、第２のサブフレームタイプを有する送信を受信することとを含み得、ここで、決定することと受信することとの間のレイテンシが、第１のサブフレームタイプを有する送信を開始することと、第１のサブフレームタイプを有する送信を受信することとの間のレイテンシよりも小さい。
【０００９】
[0009]いくつかの例では、監視することは、トリガについて専用周波数リソースを監視することを含み得る。専用周波数リソースは、たとえば、監視することのために連続的に利用可能な専用周波数分割多重化（ＦＤＭ）サブバンドを含み得る。専用周波数リソースの帯域幅は、たとえば、専用周波数リソースを使用してトリガを送信または受信するように構成されたデバイスの数に基づき得る。専用周波数リソースは、いくつかの例では、物理ダウンリンク共有チャネル（ＰＤＳＣＨ）または拡張物理ダウンリンク制御チャネル（ｅＰＤＣＣＨ）の１つまたは複数のリソースブロックを含み得る。他の例では、専用周波数リソースは、ＦＤＭリソースの２つまたはそれ以上の不連続リソースブロックを含み得る。
【００１０】
[0010]いくつかの例では、監視することは、トリガについて専用時間リソースを監視することを含み得る。専用時間リソースは、たとえば、時分割多重化（ＴＤＭ）サブフレームのあらかじめ定義された部分を含み、あらかじめ定義された部分は、第１の持続時間を有するＴＤＭサブフレームの１つまたは複数のシンボルを含み得る。いくつかの例では、ＴＤＭサブフレームの１つまたは複数のシンボルは、ＴＤＭサブフレームの第１のシンボルとＴＤＭサブフレームの第２のシンボルとを含み得る。いくつかの例では、１つまたは複数のシンボルに続くＴＤＭサブフレームの少なくとも１つの後続のシンボルは、第２の持続時間を有し得る。
【００１１】
[0011]いくつかの例では、監視することはユーザ機器（ＵＥ）によって実行され得、本方法は、さらに、トリガが受信されたと決定することと、ＵＥにおいて第２のサブフレームタイプを有する１つまたは複数のサブフレームを受信するために使用されるべきである送信リソースを決定することとを含み得る。いくつかの例では、トリガが受信されたと決定することは、ＵＥに関連付けられたあらかじめ定義されたリソース上でトリガが受信されたと決定すること、またはＵＥを識別する識別情報をトリガが含むと決定することのうちの１つまたは複数を含み得る。
【００１２】
[0012]他の例では、監視することは基地局によって実行され得、本方法は、さらに、トリガがユーザ機器（ＵＥ）から受信されたと決定することと、第２のサブフレームタイプを有する１つまたは複数のサブフレームを送信するためのリソースの割当てをＵＥに送信することとを含み得る。いくつかの例では、トリガは、ＵＥ識別情報、遅延要件、または帯域幅要件のうちの１つまたは複数を含み得る。いくつかの例では、トリガがＵＥから受信されたと決定することは、２つまたはそれ以上のトリガが２つまたはそれ以上のＵＥから受信されたと決定することと、２つまたはそれ以上のＵＥ間の競合を解決することとを含み得、割当てを送信することが、２つまたはそれ以上のＵＥ間の競合を解決することに応答して、リソースの割当てを２つまたはそれ以上のＵＥのうちの１つに送信することを含み得る。他の例では、監視することは基地局によって実行され、本方法は、さらに、トリガがユーザ機器（ＵＥ）から受信されたと決定することと、第２のサブフレームタイプを有するサブフレームを含む自律送信をＵＥから受信することとを含み得る。
【００１３】
[0013]例示的な実施形態の第２のセットによれば、ワイヤレス通信のための方法は、第１のサブフレームタイプと第２のサブフレームタイプとを有する送信をサポートするワイヤレス通信ネットワークにおける通信を確立することであって、第１のサブフレームタイプが第１の持続時間のシンボルを含み、第２のサブフレームタイプが、第１の持続時間よりも短い第２の持続時間のシンボルを含む、確立することと、第２のサブフレームタイプを有する１つまたは複数のサブフレームを使用してデータが送信されるべきであると決定することと、第２のサブフレームタイプを有する送信を開始するために、所定のワイヤレス通信リソースを使用してトリガを送信することとを含み得る。
【００１４】
[0014]いくつかの例では、所定のワイヤレス通信リソースは専用周波数リソースを含み得る。専用周波数リソースは、たとえば、監視することのために連続的に利用可能な専用周波数分割多重化（ＦＤＭ）サブバンドを含み得る。他の例では、専用周波数リソースは、物理ダウンリンク共有チャネル（ＰＤＳＣＨ）の１つまたは複数のリソースブロックを含み得る。追加または代替として、専用周波数リソースは、ＦＤＭリソースの２つまたはそれ以上の不連続リソースブロックを含み得る。
【００１５】
[0015]いくつかの例では、所定のワイヤレス通信リソースは、トリガのための専用時間リソースを含み得る。専用時間リソースは、たとえば、時分割多重化（ＴＤＭ）サブフレームのあらかじめ定義された部分を含み、あらかじめ定義された部分は、第１の持続時間を有するＴＤＭサブフレームの１つまたは複数のシンボルを含み得る。いくつかの例では、ＴＤＭサブフレームの１つまたは複数のシンボルは、ＴＤＭサブフレームの第１のシンボルとＴＤＭサブフレームの第２のシンボルとを含み得る。いくつかの例では、１つまたは複数のシンボルに続くＴＤＭサブフレームの少なくとも１つの後続のシンボルは、第２の持続時間を有する。
【００１６】
[0016]いくつかの例では、本方法はユーザ機器（ＵＥ）によって実行され得、本方法は、さらに、第２のサブフレームタイプを有する１つまたは複数のサブフレームを自律的に送信することを含み得る。他の例では、本方法はユーザ機器（ＵＥ）によって実行され得、本方法は、さらに、トリガを送信することに応答して、基地局からアップリンクリソースの割当てを受信することと、割り当てられたアップリンクリソースを使用して、第２のサブフレームタイプを有する１つまたは複数のサブフレームを送信することとを含み得る。さらなる例では、本方法はユーザ機器（ＵＥ）によって実行され得、トリガを送信することは、ＵＥに関連付けられたあらかじめ定義されたリソース上でトリガを送信すること、ＵＥを識別する識別情報を送信すること、遅延要件を送信すること、または帯域幅要件を送信することのうちの１つまたは複数を含み得る。いくつかの例では、本方法は基地局によって実行され得、本方法は、さらに、トリガに続いて、第２のサブフレームタイプを有する１つまたは複数のサブフレームを送信することを含み得る。
【００１７】
[0017]例示的な実施形態の第３のセットによれば、ワイヤレス通信のための方法は、ワイヤレス通信ネットワークにおいて第１のレイテンシモードおよび第２のレイテンシモードを構成することであって、第１のレイテンシモードでの送信が、送信と、送信の受信の確認応答との間の第１のラウンドトリップ時間（ＲＴＴ）を有し、第２のレイテンシモードでの送信が、第１のＲＴＴよりも小さい第２のＲＴＴを有する、構成することと、第２のレイテンシモードの使用をトリガするために、ワイヤレス通信ネットワークにおいて動作するデバイスのためのリソースを構成することと、を含み得る。
【００１８】
[0018]リソースは、たとえば、専用時間リソースまたは周波数リソースを含み得る。いくつかの例では、周波数リソースは、監視することのために連続的に利用可能な専用周波数分割多重化（ＦＤＭ）サブバンドを含み得る。他の例では、第２のレイテンシモードは、専用コンポーネントキャリア上で動作するように構成され得る。そのような専用コンポーネントキャリアは、セカンダリセル（ＳＣｅｌｌ）コンポーネントキャリアとして構成され得る。いくつかの例では、ＳＣｅｌｌコンポーネントキャリア上のリソースは、プライマリセル（ＰＣｅｌｌ）コンポーネントキャリアを使用して基地局によって割り当てられ得、ＳＣｅｌｌコンポーネントキャリアにおける複数のリソースは、ＰＣｅｌｌコンポーネントキャリアの単一のリソースを使用して割り当てられ得る。他の例では、ＳＣｅｌｌコンポーネントキャリア上のリソースは、ＳＣｅｌｌコンポーネントキャリア内の単一のスケジューリングリソースを使用して基地局によって割り当てられ得る。さらなる例では、ＳＣｅｌｌコンポーネントキャリアにおける複数のリソースのための送信の受信の確認応答は、ＰＣｅｌｌコンポーネントキャリアの単一のリソースによって与えられる。
【００１９】
[0019]いくつかの例では、第１のレイテンシモードおよび第２のレイテンシモードを構成することは、第１のレイテンシモード通信のためのコンポーネントキャリア内のリソースの第１のサブセットを構成することと、第２のレイテンシモード通信のためのコンポーネントキャリア内のリソースの第２のサブセットを構成することとを含み得る。いくつかの例では、リソースの第１のサブセットおよびリソースの第２のサブセットは、第２のレイテンシモードを使用して送信されるべきデータの量に基づいて動的に構成され得る。
【００２０】
[0020]さらなる例では、第１のレイテンシモードおよび第２のレイテンシモードを構成することは、第１のレイテンシモードを使用して動作するように第１のコンポーネントキャリアを構成することと、第２のレイテンシモードを使用して動作するように第２のコンポーネントキャリアを構成することとを含み得る。リソースは、たとえば、監視することのために連続的に利用可能な第２のコンポーネントキャリア内の専用周波数分割多重化（ＦＤＭ）サブバンドを含み得る。いくつかの例では、リソースは動的にまたは半静的に構成され得る。たとえば、リソースは、第１のレイテンシモードを使用して送信されるリソースブロックのあらかじめ定義されたグループであり得る。リソースは、いくつかの例では、第１のレイテンシモードを使用して送信される時分割多重化サブフレーム中の１つまたは複数のシンボルであり得る。
【００２１】
[0021]例示的な実施形態の第４のセットによれば、ワイヤレス通信のための装置は、第１のサブフレームタイプと第２のサブフレームタイプとを有する送信をサポートするワイヤレス通信ネットワークにおける通信を確立するための手段であって、第１のサブフレームタイプが第１の持続時間のシンボルを含み、第２のサブフレームタイプが、第１の持続時間よりも短い第２の持続時間のシンボルを含む、確立するための手段と、第２のサブフレームタイプを有する送信を開始するためのトリガについて所定のワイヤレス通信リソースを監視するための手段とを含み得る。
【００２２】
[0022]いくつかの例では、本装置は、上記で説明した例示的な実施形態の第１のセットの１つまたは複数の態様を実装し得る。
【００２３】
[0023]例示的な実施形態の第５のセットによれば、ワイヤレス通信のための装置は、第１のサブフレームタイプと第２のサブフレームタイプとを有する送信をサポートするワイヤレス通信ネットワークにおける通信を確立するための手段であって、第１のサブフレームタイプが第１の持続時間のシンボルを含み、第２のサブフレームタイプが、第１の持続時間よりも短い第２の持続時間のシンボルを含む、確立するための手段と、第２のサブフレームタイプを有する１つまたは複数のサブフレームを使用してデータが送信されるべきであると決定するための手段と、第２のサブフレームタイプを有する送信を開始するために、所定のワイヤレス通信リソースを使用してトリガを送信するための手段とを含み得る。
【００２４】
[0024]いくつかの例では、本装置は、上記で説明した例示的な実施形態の第２のセットの１つまたは複数の態様を実装し得る。
【００２５】
[0025]例示的な実施形態の第６のセットによれば、ワイヤレス通信のための装置は、ワイヤレス通信ネットワークにおいて第１のレイテンシモードおよび第２のレイテンシモードを構成するための手段であって、第１のレイテンシモードでの送信が、送信と、送信の受信の確認応答との間の第１のラウンドトリップ時間（ＲＴＴ）を有し、第２のレイテンシモードでの送信が、第１のＲＴＴよりも小さい第２のＲＴＴを有する、構成するための手段と、第２のレイテンシモードの使用をトリガするために、ワイヤレス通信ネットワークにおいて動作するデバイスのためのリソースを構成するための手段と、を含み得る。
【００２６】
[0026]いくつかの例では、本装置は、上記で説明した例示的な実施形態の第３のセットの１つまたは複数の態様を実装し得る。
【００２７】
[0027]例示的な実施形態の第７のセットによれば、ワイヤレス通信のための装置は、プロセッサと、プロセッサと電子通信しているメモリと、メモリに記憶された命令とを含み得る。命令は、第１のサブフレームタイプと第２のサブフレームタイプとを有する送信をサポートするワイヤレス通信ネットワークにおける通信を確立することであって、第１のサブフレームタイプが第１の持続時間のシンボルを含み、第２のサブフレームタイプが、第１の持続時間よりも短い第２の持続時間のシンボルを含む、確立することと、第２のサブフレームタイプを有する送信を開始するためのトリガについて所定のワイヤレス通信リソースを監視することとを行うためにプロセッサによって実行可能であり得る。
【００２８】
[0028]いくつかの例では、命令は、上記で説明した例示的な実施形態の第１のセットの１つまたは複数の態様を実装することをプロセッサに行わせるように構成され得る。
【００２９】
[0029]例示的な実施形態の第８のセットによれば、ワイヤレス通信のための装置は、プロセッサと、プロセッサと電子通信しているメモリと、メモリに記憶された命令とを含み得る。命令は、第１のサブフレームタイプと第２のサブフレームタイプとを有する送信をサポートするワイヤレス通信ネットワークにおける通信を確立することであって、第１のサブフレームタイプが第１の持続時間のシンボルを含み、第２のサブフレームタイプが、第１の持続時間よりも短い第２の持続時間のシンボルを含む、確立することと、第２のサブフレームタイプを有する１つまたは複数のサブフレームを使用してデータが送信されるべきであると決定することと、第２のサブフレームタイプを有する送信を開始するために、所定のワイヤレス通信リソースを使用してトリガを送信することとを行うためにプロセッサによって実行可能であり得る。
【００３０】
[0030]いくつかの例では、命令は、上記で説明した例示的な実施形態の第２のセットの１つまたは複数の態様を実装することをプロセッサに行わせるように構成され得る。
【００３１】
[0031]例示的な実施形態の第９のセットによれば、ワイヤレス通信のための装置は、プロセッサと、プロセッサと電子通信しているメモリと、メモリに記憶された命令とを含み得る。命令は、ワイヤレス通信ネットワークにおいて第１のレイテンシモードおよび第２のレイテンシモードを構成することであって、第１のレイテンシモードでの送信が、送信と、送信の受信の確認応答との間の第１のラウンドトリップ時間（ＲＴＴ）を有し、第２のレイテンシモードでの送信が、第１のＲＴＴよりも小さい第２のＲＴＴを有する、構成することと、第２のレイテンシモードの使用をトリガするために、ワイヤレス通信ネットワークにおいて動作するデバイスのためのリソースを構成することと、を行うためにプロセッサによって実行可能であり得る。
【００３２】
[0032]いくつかの例では、命令は、上記で説明した例示的な実施形態の第３のセットの１つまたは複数の態様を実装することをプロセッサに行わせるように構成され得る。
【００３３】
[0033]例示的な実施形態の第１０のセットによれば、ワイヤレス通信のためのコンピュータプログラム製品は、第１のサブフレームタイプと第２のサブフレームタイプとを有する送信をサポートするワイヤレス通信ネットワークにおける通信を確立することであって、第１のサブフレームタイプが第１の持続時間のシンボルを含み、第２のサブフレームタイプが、第１の持続時間よりも短い第２の持続時間のシンボルを含む、確立することと、第２のサブフレームタイプを有する送信を開始するためのトリガについて所定のワイヤレス通信リソースを監視することとを行うためにプロセッサによって実行可能な命令を記憶する非一時的コンピュータ可読媒体を含み得る。
【００３４】
[0034]いくつかの例では、命令は、上記で説明した例示的な実施形態の第１のセットの１つまたは複数の態様を実装することをプロセッサに行わせるように構成され得る。
【００３５】
[0035]例示的な実施形態の第１１のセットによれば、ワイヤレス通信のためのコンピュータプログラム製品は、第１のサブフレームタイプと第２のサブフレームタイプとを有する送信をサポートするワイヤレス通信ネットワークにおける通信を確立することであって、第１のサブフレームタイプが第１の持続時間のシンボルを含み、第２のサブフレームタイプが、第１の持続時間よりも短い第２の持続時間のシンボルを含む、確立することと、第２のサブフレームタイプを有する１つまたは複数のサブフレームを使用してデータが送信されるべきであると決定することと、第２のサブフレームタイプを有する送信を開始するために、所定のワイヤレス通信リソースを使用してトリガを送信することとを行うためにプロセッサによって実行可能な命令を記憶する非一時的コンピュータ可読媒体を含み得る。
【００３６】
[0036]いくつかの例では、命令は、上記で説明した例示的な実施形態の第２のセットの１つまたは複数の態様を実装することをプロセッサに行わせるように構成され得る。
【００３７】
[0037]例示的な実施形態の第１２のセットによれば、ワイヤレス通信のためのコンピュータプログラム製品は、ワイヤレス通信ネットワークにおいて第１のレイテンシモードおよび第２のレイテンシモードを構成することであって、第１のレイテンシモードでの送信が、送信と、送信の受信の確認応答との間の第１のラウンドトリップ時間（ＲＴＴ）を有し、第２のレイテンシモードでの送信が、第１のＲＴＴよりも小さい第２のＲＴＴを有する、構成することと、第２のレイテンシモードの使用をトリガするために、ワイヤレス通信ネットワークにおいて動作するデバイスのためのリソースを構成することと、を行うためにプロセッサによって実行可能な命令を記憶する非一時的コンピュータ可読媒体を含み得る。
【００３８】
[0038]いくつかの例では、命令は、上記で説明した例示的な実施形態の第３のセットの１つまたは複数の態様を実装することをプロセッサに行わせるように構成され得る。
【００３９】
[0039]説明する方法および装置の適用性のさらなる範囲は、以下の発明を実施するための形態、特許請求の範囲、および図面から明らかになろう。発明を実施するための形態の趣旨および範囲内の様々な変更および改変が当業者に明らかになるので、発明を実施するための形態および特定の例は例示として与えられるものにすぎない。
【００４０】
[0040]本発明の性質および利点のさらなる理解は、以下の図面を参照して実現され得る。添付図において、同様の構成要素または特徴は同じ参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、説明は、第２の参照ラベルにかかわらず、同じ第１の参照ラベルを有する同様の構成要素のいずれにも適用可能である。
【図面の簡単な説明】
【００４１】
【図１】[0041]本開示の態様による、電気通信システムの一例を概念的に示す図。
【図２】[0042]本開示の態様による、ワイヤレス通信システムにおいて送信され得る無線フレームおよび専用トリガリソースの一例を概念的に示す図。
【図３】[0043]本開示の態様による、ワイヤレス通信システムにおいて使用され得るダウンリンクフレーム構造およびトリガリソースの一例を示す図。
【図４】[0044]本開示の態様による、ワイヤレス通信システムにおけるアップリンクおよびダウンリンク無線フレームならびにトリガ、確認応答、およびデータの送信の一例を概念的に示す図。
【図５】[0045]本開示の態様による、ワイヤレス通信システムにおけるアップリンクおよびダウンリンク無線フレームならびにトリガおよびデータの送信の別の例を概念的に示す図。
【図６】[0046]本開示の態様による、ワイヤレス通信システムにおける無線フレーム、およびＴＤＤサブフレーム中のトリガリソースの一例を概念的に示す図。
【図７】[0047]本開示の態様による、ワイヤレス通信システムにおいて使用され得るトリガおよび送信リソースをもつフレーム構造の一例を示す図。
【図８Ａ】[0048]本開示の態様による、ワイヤレス通信システムにおいて使用され得るリソース区分の一例を示す図。
【図８Ｂ】[0049]本開示の態様による、ワイヤレス通信システムにおいて使用され得るリソース区分の別の例を示す図。
【図８Ｃ】[0050]本開示の態様による、ワイヤレス通信システムにおいて使用され得るリソース区分の別の例を示す図。
【図９Ａ】[0051]本開示の態様による、ワイヤレス通信システムの異なるコンポーネントキャリア上で送信され得る異なるコンポーネントキャリアおよびリソーススケジューリングのための無線フレームの別の例を概念的に示す図。
【図９Ｂ】[0052]本開示の態様による、ワイヤレス通信システムの異なるコンポーネントキャリアのために与えられ得る異なるコンポーネントキャリアおよび送信確認応答のための無線フレームの別の例を概念的に示す図。
【図１０Ａ】[0053]本開示の態様による、ワイヤレス通信システムにおける異なるデバイスのための時分割多重リソースをもつ無線フレームおよび専用トリガリソースの一例を概念的に示す図。
【図１０Ｂ】[0054]本開示の態様による、ワイヤレス通信システムにおける異なるデバイスのための周波数分割多重リソースをもつ無線フレームおよび専用トリガリソースの別の例を概念的に示す図。
【図１０Ｃ】[0055]本開示の態様による、通信がトリガサブフレームの直後のサブフレーム中で開始される無線フレームおよび専用トリガリソースの一例を概念的に示す図。
【図１１Ａ】[0056]本開示の態様によるワイヤレス通信において使用するｅＮＢまたはＵＥなどのデバイスを概念的に示すブロック図。
【図１１Ｂ】本開示の態様によるワイヤレス通信において使用するｅＮＢまたはＵＥなどのデバイスを概念的に示すブロック図。
【図１２】[0057]本開示の態様による、ｅＮＢの設計を概念的に示すブロック図。
【図１３】[0058]本開示の態様による、ＵＥの設計を概念的に示すブロック図。
【図１４】[0059]本開示の態様による、ＵＥおよびｅＮＢの一例を概念的に示すブロック図。
【図１５】[0060]本開示の態様による、ワイヤレス通信の方法の一例を概念的に示すフローチャート。
【図１６】[0061]本開示の態様による、ワイヤレス通信の方法の一例を概念的に示すフローチャート。
【図１７】[0062]本開示の態様による、ワイヤレス通信の方法の一例を概念的に示すフローチャート。
【図１８】[0063]本開示の態様による、ワイヤレス通信の方法の一例を概念的に示すフローチャート。
【発明を実施するための形態】
【００４２】
[0064]ワイヤレス通信システム内での低レイテンシ通信のための技法について説明する。ｅＮＢまたはＵＥあるいはその両方は、ワイヤレス通信システム内で動作するように構成され得、第１のサブフレームタイプと第２のサブフレームタイプとを有する送信をサポートするワイヤレス通信ネットワークにおける専用リソースを使用して通信を開始するためのトリガを送り得る。第１のサブフレームタイプは、第１の持続時間のシンボルを有するサブフレームを含み得、第２のサブフレームタイプのサブフレームは、第１の持続時間よりも短い第２の持続時間のシンボルを含み得る。通信は、専用リソースを使用してＵＥまたはｅＮＢからトリガを送信し、トリガに続いて通信を開始することによって開始され得る。トリガと通信を開始することとの間の持続時間は、レガシーロングタームエボリューション（ＬＴＥ：Long Term Evolution）通信を使用して通信を開始するための時間よりも著しく短いものとなり得る。
【００４３】
[0065]様々な例によれば、基地局およびＵＥを含む、ワイヤレス通信ネットワークにおける様々なデバイスは、第１のレイテンシモードおよび第２のレイテンシモードに従って動作するように構成され得る。第１のレイテンシモードは、第１のサブフレームタイプのサブフレームを使用し、送信と、送信の受信の確認応答との間の第１のラウンドトリップ時間（ＲＴＴ）を有し得る。第２のレイテンシモードでの送信は、第２のサブフレームタイプを使用し、第１のＲＴＴよりも小さい第２のＲＴＴを有し得る。リソースは、第２のレイテンシモードの使用をトリガするために、ワイヤレス通信ネットワークにおいて動作するデバイスのために構成され得る。そのようなリソースは、ＵＥに構成を通知する、たとえば、専用周波数分割多重化（ＦＤＭ）サブバンド、または基地局によって構成された専用コンポーネントキャリアなど、専用周波数リソースであり得る。いくつかの例では、専用ＦＤＭサブバンドリソースは、監視することのために連続的に利用可能である。いくつかの例では、専用リソースは、時分割多重化（ＴＤＭ）サブフレームの第１または第２のシンボルなど、専用時間リソースであり得る。
【００４４】
[0066]ＵＥは、第１のレイテンシモードで動作し、専用リソース上でダウンリンク通信を監視し得る。トリガが専用リソース上で送信された場合、ＵＥは、高速通信を開始するために、第２のレイテンシモードに切り替え得る。したがって、トリガは、第２のレイテンシモードで動作するとき、ダウンリンク通信の開始のためのレガシーページングまたは割当てに取って代わり得る。アップリンク通信上で、基地局は、第１のレイテンシモードで動作し、第２のレイテンシモードを使用する通信を開始するために、ＵＥからのトリガについて、専用ＦＤＭサブバンドまたはＴＤＭアップリンクサブフレーム中の専用シンボルなど、専用アップリンクリソースを監視し得る。いくつかの例では、基地局は、ＵＥが第２のレイテンシモードを使用するアップリンク通信において使用するためのリソースの割当てを送信し得る。他の例では、ＵＥは、トリガに続いて、第２のレイテンシモードを使用するアップリンク通信を自律的に開始し得る。したがって、ＵＥからのそのようなトリガは、ＵＥが第２のレイテンシモードに切り替えるべきであるとき、レガシーランダムアクセスまたはスケジューリング要求プロシージャに取って代わり得る。
【００４５】
[0067]第１のレイテンシモードは、ダウンリンク通信がダウンリンクまたはページング制御チャネルを通して開始され、アップリンク通信がスケジューリング要求またはランダムアクセスプロシージャを通して開始される、レガシーＬＴＥ動作に対応し得る。そのようなレガシーＬＴＥ動作は、データが送信されるべきであるという決定と、データを含んでいる送信の開始との間の様々なソースからのレイテンシを含み得る。たとえば、ＵＥが基地局との接続を確立すると、アップリンク送信のために、スケジューリング要求が送信され得るか、またはランダムアクセスプロシージャが開始され得、これにより、最終的に、リソースがＵＥに割り当てられ得る。そのようなプロセスは数ミリ秒〜数十ミリ秒程度かかり得る。同様に、ダウンリンク通信のために、基地局は、ＵＥがデータを受信すべきであることを示すために、ページングプロシージャを使用するかまたは制御チャネルメッセージを使用し得、そのようなプロセスは数ミリ秒〜数十ミリ秒程度かかり得る。通信中に、送信と、送信の受信の確認応答との間のラウンドトリップ時間（ＲＴＴ）は、８ｍｓから最高１０ｍｓ超かかり得る。
【００４６】
[0068]第２のレイテンシモードは、レガシーＬＴＥレイテンシのうちの１つまたは複数を著しく低減することができる通信を与え得る。いくつかの例では、第２のレイテンシモードは、トリガと通信を開始することとの間の持続時間が、レガシーＬＴＥ通信を使用して通信を開始するための時間よりも著しく短く、いくつかの例では１ｍｓ以下程度になり得る、高速アクセスモードに対応し得る。さらに、第２のレイテンシモードは、レガシーＬＴＥシンボルのシンボル持続時間よりも小さい持続時間を有するシンボルの使用によって、低減されたＲＴＴを与え得る。
【００４７】
[0069]低減されたレイテンシは、たとえば、緊急応答通信、無人車両または自律的に制御される車両におけるピアツーピア通信、車両衝突回避などのために有益であり得る、拡張データ転送レートおよび通信の拡張開始を与え得る。したがって、高速通信モードで動作するように構成された受信機は、排他的にまたはレガシー通信モードでの動作と組み合わせてのいずれかで、レガシー通信モードのみで動作するように構成された受信機に対して、拡張応答時間および拡張データレートをサポートし得る。
【００４８】
[0070]本明細書で説明する技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語はしばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰ（登録商標）ロングタームエボリューション（ＬＴＥ）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のシステムおよび無線技術、ならびに他のシステムおよび無線技術のために使用され得る。ただし、以下の説明では、例としてＬＴＥシステムについて説明し、以下の説明の大部分においてＬＴＥ用語が使用されるが、本技法はＬＴＥ適用例以外にも適用可能である。
【００４９】
[0071]したがって、以下の説明は、例を与えるものであり、特許請求の範囲に記載された範囲、適用可能性、または構成を限定するものではない。本開示の趣旨および範囲から逸脱することなく、説明する要素の機能および構成において変更が行われ得る。様々な例は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの例に関して説明する特徴は、他の例において組み合わせられ得る。
【００５０】
[0072]最初に図１を参照すると、図は、本開示の一態様による、ワイヤレス通信システム１００の一例を示す。ワイヤレス通信システム１００は、複数のアクセスポイント（たとえば、基地局、ｅＮＢ、またはＷＬＡＮアクセスポイント）１０５と、いくつかのユーザ機器（ＵＥ）１１５と、コアネットワーク１３０とを含む。アクセスポイント１０５のうちのいくつかは、様々な例ではコアネットワーク１３０またはいくつかのアクセスポイント１０５（たとえば、基地局またはｅＮＢ）の一部であり得る、基地局コントローラ（図示せず）の制御下でＵＥ１１５と通信し得る。アクセスポイント１０５は、バックホールリンク１３２を通してコアネットワーク１３０と制御情報またはユーザデータを通信し得る。例では、アクセスポイント１０５は、ワイヤードまたはワイヤレス通信リンクであり得るバックホールリンク１３４を介して互いと直接または間接的にのいずれかで通信し得る。ワイヤレス通信システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、上記で説明した様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００５１】
[0073]いくつかの例では、ワイヤレス通信システム１００の少なくとも一部分が、ＵＥ１１５のうちの１つまたは複数およびアクセスポイント１０５のうちの１つまたは複数が、第１のレイテンシモードまたはレガシーレイテンシモードでの送信、ならびに第１のレイテンシモードに対して低減されたレイテンシを有する第２のレイテンシモードまたは高速アクセスレイテンシモードでの送信をサポートするように構成され得る、複数のレイテンシモードに従って動作するように構成され得る。いくつかの例では、ハイブリッドＵＥ１１５−ａが、第１のレイテンシモードと第２のレイテンシモードの両方を使用して、アクセスポイント１０５−ａと通信し得る。いくつかの例では、ＵＥ１１５−ａは、ワイヤレスリンク１３５を介して別のＵＥ１１５−ｂとのピアツーピア通信を開始し得、第２のレイテンシモードで構成された専用トリガリソースを使用して、ＵＥ１１５−ｂとの通信をトリガし得る。たとえば、車両通信では、ＵＥは、接近する車両を検出すると、第２のレイテンシモードのトリガを通して、高速通信をオンにし得る。各車両が比較的高速で走行していることがあるが、車両間の相対速度は比較的小さいことがあり、比較的短距離において、ピアツーピア通信は効率的であり得る。他の例では、ピアツーピア通信は、遠隔制御装置およびコンソールなど、ゲームデバイスのために使用され得、第２のレイテンシモードによるデバイス間の直接通信は、第３のエンティティを通して通信する必要を低減し得る。
【００５２】
[0074]いくつかの例では、ハイブリッドＵＥ１１５−ａは、第２のレイテンシモードに切り替えるための専用トリガリソースを監視するように構成されたとき、高速アクセス通信を開始するためのトリガを受信し、トリガを受信したのと同じサブフレーム内で広帯域通信を受信し得る。そのような高速アクセスは、応答時間が比較的小さく１ミリ秒以下程度であることが望まれるいくつかの適用例において望ましいことがある。たとえば、低レイテンシ通信は、ほんのいくつかの例を挙げれば、衝突回避のための車両通信において、あるいは自動運転車両、ゲーム適用例、無人航空機動作、ロボット適用例、健康センサー、核センサー、またはジェスチャー制御センサーにおいて望まれ得る。
【００５３】
[0075]アクセスポイント１０５は、１つまたは複数のアクセスポイントアンテナを介してＵＥ１１５とワイヤレス通信し得る。アクセスポイント１０５サイトの各々は、それぞれのカバレージエリア１１０に通信カバレージを与え得る。いくつかの例では、アクセスポイント１０５は、基地トランシーバ局、無線基地局、無線トランシーバ、基本サービスセット（ＢＳＳ）、拡張サービスセット（ＥＳＳ）、ノードＢ、ｅノードＢ、ホームノードＢ、ホームｅノードＢ、または何らかの他の好適な用語で呼ばれることがある。基地局のためのカバレージエリア１１０は、カバレージエリアの一部分のみを構成するセクタに分割され得る（図示せず）。ワイヤレス通信システム１００は、異なるタイプのアクセスポイント１０５（たとえば、マクロ基地局、マイクロ基地局、またはピコ基地局）を含み得る。アクセスポイント１０５はまた、セルラーまたはＷＬＡＮ無線アクセス技術など、異なる無線技術を利用し得る。アクセスポイント１０５は同じまたは異なるアクセスネットワークまたは事業者展開に関連し得る。同じまたは異なるタイプのアクセスポイント１０５のカバレージエリアを含むか、同じまたは異なる無線技術を利用するか、あるいは同じまたは異なるアクセスネットワークに属する、異なるアクセスポイント１０５のカバレージエリアは重複し得る。
【００５４】
[0076]ＬＴＥ／ＬＴＥ−Ａネットワーク通信システムでは、発展型ノードＢ（ｅノードＢまたはｅＮＢ）という用語は、概して、アクセスポイント１０５を表すために使用され得る。ワイヤレス通信システム１００は、異なるタイプのアクセスポイントが様々な地理的領域にカバレージを与える、異種ＬＴＥ／ＬＴＥ−Ａネットワークであり得る。たとえば、各アクセスポイント１０５は、通信カバレージをマクロセル、ピコセル、フェムトセル、または他のタイプのセルに与え得る。ピコセル、フェムトセル、または他のタイプのセルなどのスモールセルは低電力ノードまたはＬＰＮを含み得る。マクロセルは、概して、比較的大きい地理的エリア（たとえば、半径数キロメートル）をカバーし、ネットワークプロバイダのサービスに加入しているＵＥ１１５による無制限アクセスを可能にし得る。スモールセルは、概して、比較的より小さい地理的エリアをカバーすることになり、たとえば、ネットワークプロバイダのサービスに加入しているＵＥ１１５による無制限アクセスを可能にし得、無制限アクセスに加えて、スモールセルとの関連を有するＵＥ１１５（たとえば、限定加入者グループ（ＣＳＧ：closed subscriber group）中のＵＥ、自宅内のユーザのためのＵＥなど）による制限アクセスをも与え得る。マクロセルのためのｅＮＢはマクロｅＮＢと呼ばれることがある。スモールセルのためのｅＮＢはスモールセルｅＮＢと呼ばれることがある。ｅＮＢは、１つまたは複数の（たとえば、２つ、３つ、４つなどの）セルをサポートし得る。
【００５５】
[0077]コアネットワーク１３０は、バックホール１３２（たとえば、Ｓ１インターフェースなど）を介してｅＮＢまたは他のアクセスポイント１０５と通信し得る。アクセスポイント１０５はまた、たとえば、バックホールリンク１３４（たとえば、Ｘ２インターフェースなど）を介してまたはバックホールリンク１３２を介して（たとえば、コアネットワーク１３０を通して）直接または間接的に、互いと通信し得る。ワイヤレス通信システム１００は同期動作または非同期動作をサポートし得る。同期動作の場合、アクセスポイント１０５は同様のフレームタイミングを有し得、異なるアクセスポイント１０５からの送信は近似的に時間的に整合され得る。非同期動作の場合、アクセスポイント１０５は異なるフレームタイミングを有し得、異なるアクセスポイント１０５からの送信は時間的に整合されないことがある。さらに、第１の階層レイヤおよび第２の階層レイヤにおける送信は、アクセスポイント１０５の間で同期されることもされないこともある。本明細書で説明する技法は、同期動作または非同期動作のいずれかのために使用され得る。
【００５６】
[0078]ＵＥ１１５はワイヤレスネットワーク１００全体にわたって分散され、各デバイスは固定または移動であり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、ユーザ機器、モバイルクライアント、クライアント、または何らかの他の好適な用語で呼ばれることもある。ＵＥ１１５は、マシンタイプ通信（ＭＴＣ）デバイス、携帯電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。いくつかの実装形態では、ＭＴＣデバイスは、車両、センサー、あるいはメーター（たとえば、ガスメーターまたはパーキングメーター）、家庭用電気器具、ヘルスケアデバイス、または他の監視デバイスなど、ＭＴＣデバイスを使用し得る多数の他の適用例のいずれかに含まれるかまたはそれとともに動作し得る。通信デバイスは、マクロ基地局、ピコ基地局、フェムト基地局、リレー基地局などと通信することが可能であり得る。
【００５７】
[0079]ワイヤレス通信システム１００において示されている通信リンク１２５は、ＵＥ１１５からアクセスポイント１０５へのアップリンク（ＵＬ）送信またはアクセスポイント１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。通信リンク１２５は、いくつかの例では通信リンク１２５において多重化され得る、各階層レイヤの送信を搬送し得る。ＵＥ１１５は、たとえば、多入力多出力（ＭＩＭＯ：Multiple Input Multiple Output）、キャリアアグリゲーション（ＣＡ：carrier aggregation）、多地点協調（ＣｏＭＰ：Coordinated Multi-Point）、または他の方式を通して、複数のアクセスポイント１０５と共同的に通信するように構成され得る。ＭＩＭＯ技法は、複数のデータストリームを送信するために、アクセスポイント１０５上の複数のアンテナまたはＵＥ１１５上の複数のアンテナを使用する。キャリアアグリゲーションは、データ送信のための同じまたは異なるサービングセル上の２つまたはそれ以上のコンポーネントキャリアを利用し得る。ＣｏＭＰは、ＵＥ１１５のための全体的な送信品質を改善し、ならびにネットワークおよびスペクトル利用を増加させるために、いくつかのアクセスポイント１０５による送信および受信の協調のための技法を含み得る。
【００５８】
[0080]ワイヤレス通信システム１００によって採用され得る異なる動作モードの各々は、周波数分割複信（ＦＤＤ）または時分割複信（ＴＤＤ）に従って動作し得る。いくつかの例では、異なるレイテンシモードは、異なるＴＤＤまたはＦＤＤモードに従って動作し得る。いくつかの例では、ＯＦＤＭＡ通信信号は、各階層レイヤのためのＬＴＥダウンリンク送信のための通信リンク１２５において使用され得、シングルキャリア周波数分割多元接続（ＳＣ−ＦＤＭＡ）通信信号は、第１のサブフレームタイプと第２のサブフレームタイプとを有するサブフレームを使用するＬＴＥアップリンク送信のための通信リンク１２５において使用され得る。ワイヤレス通信システム１００などのシステムにおける複数のレイテンシモードの実装に関する追加の詳細、ならびにそのようなシステムにおける通信に関係する他の特徴および機能が、図２〜図１８を参照しながら以下で与えられる。
【００５９】
[0081]上記で説明したように、様々な例は、複数のレイテンシモードによる、図１のワイヤレス通信システム１００など、ワイヤレス通信システムにおける通信を与える。第１のレイテンシモードでの通信は、レガシーＬＴＥ通信のために指定されているフレーム構造、スロット、シンボル、およびサブキャリア間隔を使用し得る。さらに、第１のレイテンシモードでの通信は、ダウンリンク通信のためのページングまたは制御チャネルを通して、ならびにアップリンク通信のためのスケジューリング要求およびランダムアクセスプロシージャを通してなど、レガシーＬＴＥ技法を通して開始され得る。第２のレイテンシモードでの通信は、レガシーＬＴＥ通信に対して低減されたレイテンシをもつ通信を開始し得る専用リソースを通して開始され得る。さらに、第２のレイテンシモードでの通信は、送信と、送信の受信の確認応答との間の低減されたレイテンシを与え得る、レガシーＬＴＥシンボルよりも低減されたシンボル持続時間を有するシンボルを使用し得る。
【００６０】
[0082]図２は、無線フレーム２０５と、無線フレーム２０５中で送信され得る異なるサブフレームとの一例を概念的に示す図２００である。図２の無線フレームは、たとえば、１つまたは複数のアクセスポイント１０５または１つまたは複数のＵＥ１１５の間で、図１を参照しながら説明したワイヤレス通信システム１００の部分を使用して送信され得る。この例では、無線フレーム２０５は、ＦＤＤフレームであり得、１０個の１ｍｓサブフレームを含み得る。無線フレーム２０５は、ダウンリンクフレームであり得、この例では、サブフレームの各々からの周波数リソースである専用ＦＤＭリソース２１０を含む。図２の例では、図１のＵＥ１１５などのＵＥは、レガシーＬＴＥ通信を使用する第１のレイテンシモードに従って通信し得、第２のレイテンシモードを開始するトリガについて専用ＦＤＭリソース２１０を監視し得る。専用ＦＤＭリソース２１０は常時オン状態にあり得、たとえば、それは、ＵＥによって監視することのために連続的に利用可能であり得る。図２の例では、基地局（たとえば、図１の基地局１０５）は、サブフレーム２２０中に、専用ＦＤＭリソース２１０を使用してトリガ２３０を送信する。トリガ２３０に続いて、広帯域高速通信２３５がサブフレーム２２５中にＵＥに送信される。図２の例では、第２のトリガ２５０がサブフレーム２４０において送信され、それに続いて、広帯域高速通信２５５がサブフレーム２４５中にＵＥに送信され得る。広帯域高速通信２３５および２５５のために使用されるリソースの量は、基地局によって動的に選択され、関連するトリガ２３０または２５０中で示され得る。そのような方法で、データが、事前に割り振られたリソース中で、あるいはトリガ２３０または２５０内で動的に割り当てられたリソース中でのいずれかでトリガ２３０または２５０の直後にＵＥに送信され得るので、トリガ２３０および２５０と広帯域高速通信２３５および２５５との間の時間は比較的短くなり得、いくつかの例では、１ｍｓよりもはるかに小さくなり得る。
【００６１】
[0083]トリガ２３０および２５０は、たとえば、広帯域高速通信２３５を受信すべきであるＵＥを識別する情報、広帯域高速通信２３５のために割り当てられるリソース、またはＵＥが入るべきである高速通信モードのタイプを含み得る１つまたは複数の情報要素を含み得る。いくつかの例では、専用ＦＤＭリソース２１０中の異なるリソースが特定のＵＥに割り当てられ得、したがって、ＵＥはトリガについて、割り当てられたリソースを単に監視し得る。たとえば、ＦＤＭリソース内のいくつかのシンボルはＵＥに割り当てられ得る。他の例では、専用ＦＤＭリソース２１０の異なる部分がＵＥのグループに割り当てられ得る。専用ＦＤＭリソース２１０は、たとえば、低レイテンシモード通信をトリガするための基地局によって構成された専用ＦＤＭサブバンドまたはコンポーネントキャリアであり得る。専用ＦＤＭリソース２１０のために使用されるリソースの量は、半静的であり得るか、または所与の時間に存在する低レイテンシモード通信が可能なＵＥの数に基づいて動的に変更され得る。ＦＤＭリソース２１０は、レガシー信号の周りでレートマッチングされ得、いくつかの例では、レガシーＵＥによってアクセスされない新しいキャリア設計である。ＦＤＭサブバンドは、様々な例によれば、レガシーレイテンシモードと低レイテンシモードとの間で動的に割り当てられ得る。
【００６２】
[0084]図２の例では、広帯域高速通信２３５および２５５は、関連するサブフレーム２２５および２４５の全部または一部分に取って代わり得る。広帯域高速通信２３５および２５５は、いくつかの例によれば、レガシーＬＴＥシンボル持続時間よりも短いシンボル持続時間を有し得、いくつかの例では、広帯域高速通信を使用して送信される完全なサブフレームは、１４個のレガシーＬＴＥシンボルではなく、８８個のシンボルを含み得る（とはいえ、多くの異なるシンボル変形形態が他の例では使用され得る）。いくつかの例では、低レイテンシモード送信において制御シンボルの後にデータシンボルが続き得、アップリンク肯定応答／否定応答はサブフレームの最初に実行され得る。いくつかの例では、送信の確認応答は、受信が失敗したときの否定応答のみを含み得、正常な受信に続いて別個の確認応答が送信されない。そのような方法で、レイテンシはさらに改善され得る。
【００６３】
[0085]図３は、図１を参照しながら上記で説明したワイヤレス通信システム１００を含む、ワイヤレス通信システムにおいて使用され得るダウンリンクフレーム構造３００の一例を示す図である。たとえば、フレーム構造３００は、ＬＴＥ／ＬＴＥ−Ａまたは同様のシステムにおいて使用され得、図２のフレーム構造の一例であり得る。フレーム３１０（１０ｍｓ）は、１０個の等しいサイズのサブフレーム（たとえば、サブフレーム３２５、３３０、３３５、３４０、３４５など）に分割され得る。いくつかの例では、フレーム３１０は、異なるレイテンシモードを使用する送信のために使用され得、フレーム３１０内の１つまたは複数のサブフレームが広帯域高速通信のために使用され、フレーム３１０内の１つまたは複数の他のサブフレームがレガシーＬＴＥ送信のために使用される。図３に示されているように、サブフレームは、２つの連続するタイムスロット３６２および３６４を含み得る。ＯＦＤＭＡコンポーネントキャリア３５０は、２つのタイムスロット３６２、３６４を表すリソースグリッドとして示され得、各タイムスロットは、ノーマルサイクリックプレフィックスについて７つのＯＦＤＭシンボル３６６を含む。
【００６４】
[0086]リソースグリッドは複数のリソース要素３５２に分割され得る。レガシーＬＴＥ／ＬＴＥ−Ａでは、リソースブロックは、周波数領域中に１２個の連続するサブキャリア３６８を含んでおり、各ＯＦＤＭシンボル３６６中のノーマルサイクリックプレフィックスについて、時間領域中に７つの連続するＯＦＤＭシンボル３６６を含んでおり、すなわち８４個のリソース要素３５２を含んでいることがある。この例では、トリガリソースは、各スロット３２６、３６４中の１つのリソースブロックを含む専用ＦＤＭリソース２１０−ａとして与えられ得る。いくつかの例では、ＦＤＭリソース２１０−ａの帯域幅は、トリガの良好な復号性能を維持するように選択され得る。専用ＦＤＭリソース２１０−ａは、潜在的エネルギー節約のために狭帯域であり得る。いくつかの例では、専用ＦＤＭリソース２１０−ａは、レガシーＬＴＥ復調基準信号（ＤＭＲＳ）ベースＰＤＳＣＨのために使用されないことがある多くのリソースがあるので、中心の６つのリソースブロックとなるように選択され得る。専用ＦＤＭリソースの帯域幅は不連続リソースブロックをも含み、したがって、必ずしも連続するとは限らないＮ個のリソースブロックの仮想帯域幅を与え得る。
【００６５】
[0087]サブキャリア３６８のためのトーン間隔は１５ｋＨｚであり得、ＯＦＤＭシンボル３６６のための有用なシンボル持続時間は６６．６７μｓであり得る。ＯＦＤＭシンボル３６６はまた、ノーマルレガシーＬＴＥサイクリックプレフィックスについて、各スロット３６２、３６４中の第１のＯＦＤＭシンボル３６６について５．１μｓであるか、または他のＯＦＤＭシンボル３６６について４．６９μｓであるサイクリックプレフィックスを含み得る。述べたように、広帯域高速通信が１つまたは複数のサブフレーム中で送信される例では、そのようなサブフレームは、いくつかの例によれば、サブフレーム内により多くのシンボルを含み得（バーストモードシンボルと呼ばれる）、各バーストモードシンボルは、レガシーＯＦＤＭ（またはＳＣ−ＦＤＭ）シンボル３６６に対して低減されたシンボル持続時間を有し得る。バーストモードシンボルはまた、レガシーシンボルに対してサブキャリアのための増加したトーン間隔を有し、いくつかの例では、１２０ｋＨｚのトーン間隔を有し得る。
【００６６】
[0088]図３に示されているように、物理ダウンリンク制御チャネル（ＰＤＣＣＨ）３５５は、物理ダウンリンク共有チャネル（ＰＤＳＣＨ）３６０と時分割多重化され得、第１のレイヤサブフレーム３３０の第１の領域内のコンポーネントキャリア３５０の帯域幅全体内に完全に分散され得る。図３に示されている例では、ＰＤＣＣＨ３５５は、サブフレーム３３０の最初の３つのシンボルを占める。ＰＤＣＣＨ３５５は、コンポーネントキャリア帯域幅とサブフレーム３３０のための制御情報の量とに基づいて、適切であるように、より多いまたはより少ないシンボルを有し得る。
【００６７】
[0089]ＰＤＣＣＨは、制御チャネル要素（ＣＣＥ）中でダウンリンク制御情報（ＤＣＩ）を搬送し得る。ＤＣＩは、たとえば、ダウンリンクスケジューリング割当て、アップリンクリソース許可、送信方式、アップリンク電力制御、ハイブリッド自動リターン再送要求（ＨＡＲＱ：hybrid automatic return repeat request）情報、変調およびコーディング方式（ＭＣＳ：modulation and coding schemes）ならびに他の情報に関する情報を含み得る。いくつかの例では、ＤＣＩは、各階層レイヤのための情報を含み得る。他の例では、異なるサブフレームタイプのサブフレームは、異なる階層レイヤのためのＤＣＩを含み得る。ＤＣＩは、ＵＥ固有（専用）またはセル固有（共通）であり、ＤＣＩのフォーマットに応じてＰＤＣＣＨ内の異なる専用および共通探索空間中に配置され得る。
【００６８】
[0090]上述のように、ＵＥはまた、様々な例による低レイテンシモード通信を開始し得る。図４は、本開示の態様による、ワイヤレス通信システムにおける無線フレームおよび低レイテンシモード通信の開始の一例を概念的に示す図４００である。図４の無線フレームは、たとえば、１つまたは複数のアクセスポイント１０５と１つまたは複数のＵＥ１１５との間で、図１を参照しながら説明したワイヤレス通信システム１００の部分を使用して送信され得る。この例では、図２に関して説明したのと同様に、ＦＤＤダウンリンクフレーム４０５は１０個の１ｍｓサブフレームを含み得る。ＦＤＤアップリンクフレーム４１０も、１０個の１ｍｓサブフレームを含む。無線フレーム４０５および４１０は、レガシーＬＴＥ通信のための各１ｍｓサブフレーム内に１４個のシンボルを含む、図３に関して上記で説明したサブフレーム構造を含み得る。さらに、上記で説明したのと同様に、サブフレームは、第２のサブフレームタイプのサブフレームのためのシンボル持続時間がレガシーＬＴＥシンボル持続時間よりも短い、広帯域高速通信のための第２のサブフレームタイプを有し得る。
【００６９】
[0091]図４の例では、ダウンリンクフレーム４０５は、低レイテンシモード通信の開始をトリガするためにＵＥによって監視され得る専用ＦＤＭリソース２１０−ｂを含み得る。さらに、アップリンクフレーム４１０は、ＵＥが低レイテンシモード通信をトリガするために使用し得る専用ＦＤＭリソース４１５を含み得る。専用ＦＤＭリソース４１５は、たとえば、ＵＥによって監視することのために連続的に利用可能であり得る。いくつかの例では、ＵＥは、低レイテンシ通信を要求するために、ＵＥ要求４２０を送信し得る。ＵＥ要求４２０は、たとえば、サブフレーム４２５中で送信され得、専用ＦＤＭリソース４１５を監視し、広帯域高速通信のためのリソースの割当て４３０を送信し得る基地局において受信され得る。この例では、割当て４３０は、サブフレーム４４５中で送信され、ＵＥが基地局にデータを送信するために使用し得る広帯域高速通信リソース４４０を割り当てる。上記で説明したのと同様に、基地局は、そのようなモバイル発信（ＭＯ）高速通信トリガのための専用リソースＦＤＭ４１５を割り振り得る。２つ以上のＵＥがアップリンクリソースへのアクセスを要求する場合、アップリンクチャネルについての競合は、レガシーＬＴＥにおけるランダムアクセスチャネル（ＲＡＣＨ）リソースと同様の競合解決リソースを使用して解決され得る。いくつかの例では、ＵＥからの第１のメッセージ（たとえば、要求４２０）が、誰がリソースを要求しているかを示し、基地局からの第２のメッセージ（たとえば、割当て４３０）が、リソースの割当てを与え得、第３のメッセージ（たとえば、広帯域高速通信リソース４４０）が、データ送信を含み得る、３メッセージ競合解決プロシージャが使用され得る。
【００７０】
[0092]いくつかの例では、トリガのコンテンツは、ＵＥ要求の形態であり得る。コンテンツはＵＥの識別情報と、広帯域高速通信リソース４４０のために望まれる遅延および帯域幅を含み得るトラフィック情報とを含み得る。アクセスはいくつかのＵＥに与えられ得、専用ＦＤＭリソース４１５は、ダウンリンクトリガまたはモバイル着信（ＭＴ）トリガを監視するＵＥについて上記で説明したのと同様にして、異なるＵＥに割り振られ得る。比較的多数のＵＥが存在する場合、専用ＦＤＭリソース４１５中の各ＵＥのための直交リソースは可能でないことがあり、ビーコントーンは、たとえば、ＵＥの異なるグループに割り当てられ得る。いくつかの例では、専用ＦＤＭリソース４１５は、レガシーＬＴＥにおいて知られているＰＵＣＣＨフォーマット３またはオーバーロードＰＵＳＣＨで使用されるような割当て方式を使用して、ＣＤＭＡと同様の重複多元接続をサポートし得る。
【００７１】
[0093]図４の例は、通信をトリガする際に比較的低いレイテンシを与えるが、場合によっては、ＵＥ要求とＵＥによるデータの送信との間のレイテンシをさらに低減することが望ましいことがある。いくつかの例では、ＵＥから通信を開始する際のレイテンシは、ＵＥによる自律送信を通してさらに低減され得る。図５は、本開示の態様による、ワイヤレス通信システムにおける無線フレームおよび低レイテンシモード通信の開始の一例を概念的に示す図５００である。図５の無線フレームは、たとえば、１つまたは複数のアクセスポイント１０５と１つまたは複数のＵＥ１１５との間で、図１を参照しながら説明したワイヤレス通信システム１００の部分を使用して送信され得る。この例では、図４に関して説明したのと同様に、ＦＤＤダウンリンクフレーム５０５は１０個の１ｍｓサブフレームを含み得る。ＦＤＤアップリンクフレーム５１０も、１０個の１ｍｓサブフレームを含む。無線フレーム５０５および５１０は、レガシーＬＴＥ通信のための各１ｍｓサブフレーム内に１４個のシンボルを含む、図３に関して上記で説明したサブフレーム構造を含み得る。さらに、上記で説明したのと同様に、サブフレームは、第２のサブフレームタイプのサブフレームのためのシンボル持続時間がレガシーＬＴＥシンボル持続時間よりも短い、広帯域高速通信のための第２のサブフレームタイプを有し得る。
【００７２】
[0094]図５の例では、ダウンリンクフレーム５０５は、低レイテンシモード通信の開始をトリガするためにＵＥによって監視され得る専用ＦＤＭリソース２１０−ｃを含み得る。同様に、アップリンクフレーム５１０は、ＵＥが低レイテンシモード通信をトリガするために使用し得る専用ＦＤＭリソース４１５−ａを含み得る。この例では、ＵＥは、低レイテンシ通信を要求するために、ＵＥ要求５１５を送信し得る。要求は、図４の要求４２０に関して説明したのと同様に情報を含み得、また、ＵＥが送信を自律的に開始することを示し得る。ＵＥ要求５１５は、たとえば、サブフレーム５２０中で送信され得、専用ＦＤＭリソース４１５−ａを監視し得る基地局において受信され得る。この例では、ＵＥは、サブフレーム５３０中の広帯域高速通信リソース５２５を使用して通信を自律的に開始する。
【００７３】
[0095]広帯域高速通信リソース５２５を使用する自律送信により、いくつかの例は、他のＵＥからの通信との考えられる衝突のための技法を与える。いくつかの例によれば、広帯域高速通信リソース５２５を使用する送信において衝突がおそらく起こったと決定された場合、ＵＥは、トリガおよびデータを再送信することを試み得るか、またはアップリンクリソースについての競合を解決するために、図４中のプロシージャなどのプロシージャにフォールバックし得る。いくつかの例では、基地局は、複数のＵＥから受信されたトリガ要求に基づいて、衝突が起こったと決定し得、ＵＥの各々にリソースを割り当てることによって、ＵＥ間の競合を解決し得る。
【００７４】
[0096]図２〜図５を参照しながら説明した例は、ＦＤＤ通信に関する低レイテンシモード通信について説明したが、そのような低レイテンシモード通信は、いくつかの例によれば、ＴＤＤ送信を使用しても開始され得る。図６は、本開示の態様による、ＴＤＤワイヤレス通信システムにおける無線フレームおよび低レイテンシモード通信の開始の一例を概念的に示す図６００である。図６の無線フレームは、たとえば、１つまたは複数のアクセスポイント１０５と１つまたは複数のＵＥ１１５との間で、図１を参照しながら説明したワイヤレス通信システム１００の部分を使用して送信され得る。この例では、フレーム６０５は、ダウンリンクサブフレーム６２５と、アップリンクサブフレーム６３５と、スペシャルサブフレーム６３０とを含み得る、１０個の１ｍｓサブフレームを含み得る。レガシーＬＴＥを使用して送信されるダウンリンクサブフレーム６２５は、各１ｍｓサブフレーム内に１４個のシンボルを含む、図３に関して上記で説明したサブフレーム構造を含み得、アップリンクサブフレームは、ＳＣ−ＦＤＭＡを使用して送信される同様の構造を含み得る。この例では、ダウンリンクサブフレーム６４０など、１つまたは複数の低レイテンシモードサブフレームは、レガシーＬＴＥサブフレームと比較して異なるサブフレームタイプを有し、１５個以上のシンボルを含み得る。
【００７５】
[0097]図６の例では、低レイテンシモードは、専用トリガリソース中で与えられたトリガに基づいて開始され得る。いくつかの例では、サブフレームの最初の２つのシンボル６５０および６５５は、サブフレームについて低レイテンシモード通信を開始し得るトリガ６６５を含み得る。他の例では、異なるシンボルまたは異なる数のシンボルが専用トリガリソースを与え得る。たとえば、トリガ６６５は、ダウンリンクサブフレーム６４０が、レガシーＬＴＥシンボル６５０および６５５よりも短い持続時間を有するシンボル６６０を含む低レイテンシモードサブフレームであることをＵＥに示すために使用され得る。いくつかの例では、各サブフレームの最初の２つのシンボルは、これらのシンボルを使用して送信される他の制御情報との適合性を与えるために、レガシーＬＴＥ技法に従って送信される。最初の２つのシンボルがトリガを含まない場合、サブフレームのうちの残りは、サブフレーム６４５について説明したような、レガシーＬＴＥ技法に従って送信され得る。
【００７６】
[0098]同様にして、ＵＥは、アップリンクサブフレームの１つまたは最初の２つのシンボル中でトリガを送信することによって、および低レイテンシモード送信に従ってサブフレームのうちの残りを送信することによって、基地局へのアップリンク低レイテンシモード送信を開始し得る。基地局が低レイテンシモードのためのトリガを送信する場合、低レイテンシモードに従って動作するように構成されないレガシーＵＥは、サブフレームがマルチメディアブロードキャスト単一周波数ネットワーク（ＭＢＳＦＮ）送信を含んでいること、またはサブフレームがアップリンクサブフレームであることをシグナリングされ得る。したがって、トリガは各サブフレームの最初に発生し、高速通信モードに入るべきであると決定することと、トリガを送信することとの間の生じたワーストケース遅延は約１ミリ秒である。いくつかの例では、ＵＥは２つのグループにスプリットされ得、ＵＥの各グループは復号するための１シンボル時間を有する。トリガが第２のシンボル中に含まれており、広帯域高速通信シンボルがトリガの後に直ちに送信される場合、ＵＥは、それがトリガを復号する前に、広帯域信号全体をバッファする必要があり得る。
【００７７】
[0099]次に図７を参照しながら、本開示の態様による、無線フレームおよび低レイテンシモード通信のトリガリングの別の例を概念的に示すブロック図７００について説明する。図７の無線フレームは、たとえば、１つまたは複数のアクセスポイント１０５と１つまたは複数のＵＥ１１５との間で、図１を参照しながら説明したワイヤレス通信システム１００の部分を使用して送信され得る。この例では、上記で説明したのと同様に、レガシーＬＴＥフレーム７１０は、各１ｍｓサブフレーム内に１４個のシンボルを含む、図３に関して上記で説明したサブフレーム構造を含み得る、１０個の１ｍｓダウンリンクサブフレームを含み得る。
【００７８】
[0100]図７の例では、各サブフレームはレガシーＰＵＣＣＨ領域７１０を含む。専用リソース７１５が、モバイル発信（ＭＯ）トリガとも呼ばれるＵＥトリガに与えられ得る。専用リソース７１５は、いくつかの例では、ＵＥにわたって多重化され得る。多重化は、符号分割多重化、時分割多重化、または周波数分割多重化であり得る。専用リソース７１５は、この例では、サブフレーム７０５の第１のスロット中に与えられる。第２のスロット中のこれらの同じリソースは、フレックスリソース７２０として使用され得、ＵＥトリガまたはデータのいずれかを送信するために使用され得る。たとえば、ＵＥが比較的小さい量のデータを送信する必要がある場合、トリガは、専用リソース７１５を使用して送信され得、その後に、フレックスリソース７２０を使用するデータ送信が続く。サブフレーム７０５はまた、レガシーデータ通信または低レイテンシ通信のために使用され得るデータ通信領域７２５を含む。
【００７９】
[0101]いくつかの例では、専用リソース７１５中で、またはフレックスリソース７２０中で送信されるトリガは、データ通信領域７２５中で送信されるデータが、より短い持続時間シンボルを有するサブフレームタイプを使用して送信され得る、後続のサブフレーム中で低レイテンシモード通信を開始し得る。したがって、比較的大量のデータが送信される必要がある場合、トリガは、後続のサブフレームが低レイテンシモードサブフレームであるべきであることを示す情報を含み得るが、少量のデータのみが送信されるべきである場合、フレックスリソース７２０が採用され得る。フレックスリソース７２０を使用する異なるＵＥからのパケットの衝突の場合、ＵＥは、データ通信領域７２５に、割り当てられたリソースを要求するために、トリガを再送信し得るか、またはトリガを開始し得る。
【００８０】
[0102]次に図８Ａ〜図８Ｃを参照しながら、本開示の態様による、ワイヤレス通信システムの異なるリソースを使用するレガシー通信および低レイテンシ通信の例を概念的に示すブロック図８００について説明する。図８Ａ〜図８Ｃの通信は、たとえば、１つまたは複数のアクセスポイントまたはｅＮＢ１０５と１つまたは複数のＵＥ１１５との間で、図１を参照しながら説明したワイヤレス通信システム１００の部分を使用して送信され得る。図８Ａの例では、リソース８００は、レガシー制御領域８１０と、高速アクセスサービス領域８１５と、レガシーＬＴＥサービス領域８２０とを含み得る単一のコンポーネントキャリア８０５を含み得る。そのような構成は、コンポーネントキャリア８０５内でのＦＤＭ通信またはＴＤＭ通信のいずれかの場合に使用され得る。レガシー制御領域８１０は、いくつかの例では、様々なレガシー制御とシグナリング情報とを含み得る、サブフレームの最初の２つのシンボルを含み得る。
【００８１】
[0103]図８Ｂの例では、リソース８００−ａは、異なるアクセスモードを与えるために利用され得る複数のコンポーネントキャリアを含み得、たとえば、キャリアアグリゲーションを用いたＦＤＭを使用して動作するシステム中で実装され得る。この例では、第１のコンポーネントキャリアＣＣ−１  ８３５は、ニューキャリアタイプ（ＮＣＴ）サービスまたは無認可スペクトルを使用するＬＴＥサービス（ＬＴＥ−Ｕ）８４０を与え得る。ＬＴＥ制御領域８５０とレガシーＬＴＥサービス領域８５５とを含む第２のコンポーネントキャリアＣＣ−２  ８４５は、レガシーＬＴＥサービスを与え得る。第３のコンポーネントキャリアＣＣ−３  ８６０は、上記で説明したような、低レイテンシモード通信を使用して高速アクセスサービス８６５を与え得る。
【００８２】
[0104]図８Ｃの例では、リソース８００−ｂは、いくつかのコンポーネントキャリア上でのアクセスモードの動的共有を用いた異なるアクセスモードを与えるために利用され得る複数のコンポーネントキャリアを含み得、たとえば、キャリアアグリゲーションを用いたＦＤＭを使用して動作するシステム中で実装され得る。この例では、第１のコンポーネントキャリアＣＣ−１  ８７５は、ニューキャリアタイプ（ＮＣＴ）サービスまたは無認可スペクトルを使用するＬＴＥサービス（ＬＴＥ−Ｕ）８７７を与え得る。第２のコンポーネントキャリアＣＣ−２  ８８０は、図２〜図６を参照しながら上記で説明したのと同様の様式で、レガシーＬＴＥ制御領域８８２、およびレガシーＬＴＥサービス８８５と高速アクセスサービス８８７との間の動的共有を与え得る。第３のコンポーネントキャリアＣＣ−３  ８９０は、上記で説明したような、低レイテンシモード通信を使用して高速アクセスサービス８９５を与え得る。またさらなる例では、たとえば、レガシーＬＴＥに対して、より短いサイクリックプレフィックス、より短いシンボル持続時間、異なるＦＦＴサイズ、およびより小さいトランスポートブロックサイズを有し得る、低レイテンシモードを使用するスタンドアロン通信が提供され得る。
【００８３】
[0105]図８を参照しながら述べたように、いくつかの例では、コンポーネントキャリアは、低レイテンシモードネットワークアクセスを与えるように構成され得る。図９Ａは、本開示の態様による、レガシーレイテンシモードアクセスと低レイテンシモードアクセスとを与えるように構成された異なるコンポーネントキャリアの一例を概念的に示す図９００である。図９Ａのコンポーネントキャリアは、たとえば、１つまたは複数のアクセスポイント１０５と１つまたは複数のＵＥ１１５との間で、図１を参照しながら説明したワイヤレス通信システム１００の部分を使用して送信され得る。この例では、図８に関して説明したのと同様に、第１のコンポーネントキャリアＣＣ−１  ９０５は、レガシーＬＴＥ通信を搬送し得るか、またはレガシーＬＴＥ通信および低レイテンシモード通信を動的に共有し得る。第２のコンポーネントキャリアＣＣ−２  ９１０は、低レイテンシモード通信のために構成され得、レガシーＬＴＥサブフレームに対して追加のシンボルを含むタイプのサブフレームのみを含み得る。
【００８４】
[0106]いくつかの例では、ＣＣ−１  ９０５は、プライマリセル（ＰＣｅｌｌ）として構成され得、ＵＥのためのキャンピング、モビリティ、および関係するタスクを扱い得る。ＣＣ−２  ９１０は、セカンダリセル（ＳＣｅｌｌ）として構成され得る。ある例では、リソース割当ては、ＰＣｅｌｌ、すなわち、ＣＣ−１  ９０５を使用して通信され得、ＣＣ−２  ９１０を使用するＳＣｅｌｌのためのいくつかの異なるリソースが、ＣＣ−１  ９０５上の単一のＰＣｅｌｌリソースを使用して割り当てられ得る。図９Ａの例では、シンボル９０７は、ＣＣ−２  ９１０上のシンボル９１５、９２０、９２５、および９３０に対応するＵＥのためのリソース割当てを含み得る。したがって、そのような割当てのための１対Ｎのマッピングがあり得、ＣＣ−１  ９０５におけるリソースのトリガリングと、ＣＣ−２  ９１０上の送信との間の遅延は、１ＯＦＤＭシンボル程度であり得る。さらに、いくつかの例では、ＣＣ−２  ９１０上のＳＣｅｌｌ送信は自動割り当てされ得る。たとえば、シンボル９３５では、シンボル９４５、９５０、および９５５のための割当てを含み得る。そのような自動割当ては、図９Ａに示されているように、１対Ｎのマッピングをも含み得、レガシーＯＦＤＭシンボルの持続時間よりも短い遅延を与え得る。上記で説明した割当ては、ＭＯ通信またはＭＴ通信のためのものであり得、そのようなコンポーネントキャリアを採用するアップリンク通信とダウンリンク通信の両方のための割当てを与え得る。
【００８５】
[0107]複数コンポーネントキャリアが構成されるとき、ＨＡＲＱ方式による肯定応答／否定応答（ＡＣＫ／ＮＡＣＫ）など、送信の受信の確認応答が、ＳＣｅｌｌのためにＰＣｅｌｌから送信され得る。図９Ｂは、本開示の態様による、レガシーレイテンシモードアクセスと低レイテンシモードアクセスとを与えるように構成されたコンポーネントキャリアのための送信の受信の確認応答を与えるように構成された異なるコンポーネントキャリアの一例を概念的に示す図９００−ａである。図９Ｂのコンポーネントキャリアは、たとえば、１つまたは複数のアクセスポイント１０５と１つまたは複数のＵＥ１１５との間で、図１を参照しながら説明したワイヤレス通信システム１００の部分を使用して送信され得る。この例では、図９Ａに関して説明したのと同様に、第１のコンポーネントキャリアＣＣ−１  ９６０は、レガシーＬＴＥ通信を搬送し得るか、またはレガシーＬＴＥ通信および低レイテンシモード通信を動的に共有し得る。第２のコンポーネントキャリアＣＣ−２  ９６５は、低レイテンシモード通信のために構成され得、レガシーＬＴＥサブフレームに対して追加のシンボルを含むタイプのサブフレームのみを含み得る。
【００８６】
[0108]いくつかの例では、ＣＣ−１  ９６０は、プライマリセル（ＰＣｅｌｌ）として構成され得、ＵＥのためのキャンピング、モビリティ、および関係するタスクを扱い得る。ＣＣ−２  ９６５は、セカンダリセル（ＳＣｅｌｌ）として構成され得る。レガシーＬＴＥでは、ＰＣｅｌｌ（たとえば、ＣＣ−１  ９６０）は、ＰＣｅｌｌリソースと、関連するＳＣｅｌｌリソースとの間の１対１のマッピングを用いてＳＣｅｌｌのためのＡＣＫ／ＮＡＣＫを送信し得る。図９Ｂに示されているような、いくつかの例では、ＳＣｅｌｌのための送信の確認応答は、ＰＣｅｌｌ、すなわち、ＣＣ−１  ９６０を使用して通信され得、ＳＣｅｌｌのためのＣＣ−ｓ９６５のいくつかの異なるリソースのための確認応答が、ＣＣ−１  ９６０上の単一のＰＣｅｌｌリソースを使用して確認応答される。図９Ｂの例では、シンボル９８５は、ＣＣ−２  ９６５上のシンボル９７０、９７５、および９８０に対応するＳＣｅｌｌリソースのための肯定応答（または否定応答）を与え得る。したがって、ＳＣｅｌｌのためのＰＣｅｌｌからのそのような確認応答のための１対Ｍのマッピングがあり得る。上記で説明した送信の確認応答は、ＭＯ通信またはＭＴ通信のためのものであり得、そのようなコンポーネントキャリアを採用するアップリンク通信とダウンリンク通信の両方のための確認応答を与え得る。
【００８７】
[0109]次に図１０Ａ〜図１０Ｃを参照しながら、本開示の態様による、低レイテンシ通信モードのためのトリガをＵＥに送信するための例を概念的に示す図１０００について説明する。図１０Ａ〜図１０Ｃの通信は、たとえば、１つまたは複数のアクセスポイントまたはｅＮＢ１０５と１つまたは複数のＵＥ１１５との間で、図１を参照しながら説明したワイヤレス通信システム１００の部分を使用して送信され得る。図１０Ａの例では、リソースは、低レイテンシモードトリガリングに関係する様々な情報を送信するために異なるシンボルが使用され得る、レガシーＬＴＥ  ＰＤＣＣＨと同様の様式で構成され得る。この例では、シンボル１００５がレガシーＬＴＥ制御シンボルであり得、残りのシンボルのうちのいくつかは、それらがサブフレームの中心の６つのリソースブロック中にある場合、ＰＳＳ／ＳＳＳ／ＰＢＣＨなど、レガシー情報をも含んでいることがあり、専用パイロットがレガシーＬＴＥ  ＣＲＳ構造に続き得る。異なるＵＥのためのトリガは、低レイテンシモードに切り替えるために、特定のＵＥ、またはＵＥのグループのうちのあるＵＥにシグナリングするために、ＴＤＭにおいて他のシンボル中で多重化され得る。図１０Ａの例では、シンボル１０１０は、トリガ信号についてこれらのシンボルを監視し得る、第１のＵＥまたはＵＥの第１のグループにマッピングされ得る。シンボル１０１５は第２のＵＥまたはＵＥの第２のグループにマッピングされ得、シンボル１０２０は第３のＵＥまたはＵＥの第３のグループにマッピングされ得る。最後に、シンボル１０２５は、ブロードキャスト情報またはショートデータ送信など、他の情報を搬送するために使用され得る。
【００８８】
[0110]図１０Ｂの例では、リソースは、レガシーＬＴＥ  ｅＰＤＣＣＨと同様の様式で構成され得、リソースブロックグラニュラリティを与え得、また、復調のための追加の復調基準信号（ＤＭＲＳ）を導入し得る。この例では、ＦＤＭが、低レイテンシモードトリガリングに関係する情報をチャネル化するために使用され得る。この例では、シンボル１０３５がレガシーＬＴＥ制御シンボルであり得、残りのシンボルのうちのいくつかは、それらがサブフレームの中心の６つのリソースブロック中にある場合、ＰＳＳ／ＳＳＳ／ＰＢＣＨなど、レガシー情報をも含んでいることがあり、専用パイロットがレガシーＬＴＥ  ＣＲＳ構造に続き得る。異なるＵＥのためのトリガ１０４０は、低レイテンシモードに切り替えるために、特定のＵＥ、またはＵＥのグループのうちのあるＵＥにシグナリングするために、周波数分割多重化され得る。図１０Ｂの例では、周波数リソース１０５０は、トリガ信号についてこれらのリソースを監視し得る、第１のＵＥまたはＵＥの第１のグループにマッピングされ得る。周波数リソース１０５５は第２のＵＥまたはＵＥの第２のグループにマッピングされ得、周波数リソース１０６０は第３のＵＥまたはＵＥの第３のグループにマッピングされ得る。最後に、シンボル１０４５は、ブロードキャスト情報またはショートデータ送信など、他の情報を搬送するために使用され得る。
【００８９】
[0111]図１０Ｃの例では、トリガは、後続のサブフレーム中で低レイテンシ通信送信を開始し得る。この例では、トリガは時分割多重化され得、この例では、トリガ１  １０７０、トリガ２  １０７５、およびトリガ３  １０８０が、上記で説明したのと同様に、後のシンボル中に含まれるブロードキャストまたはデータ通信１０９０とともに、サブフレームのシンボルの第１のセット中で多重化され得る。トリガ信号１０７０、１０７５、または１０８０は、後続のサブフレームの広帯域高速通信１０９５のための帯域幅情報および通信持続時間など、低レイテンシモード通信のための構成を搬送する。したがって、トリガと通信の開始との間の遅延は、この例では、サブフレームの持続時間よりも小さくなる。
【００９０】
[0112]図１１Ａおよび図１１Ｂは、本開示の態様によるワイヤレス通信において使用するｅＮＢまたはＵＥなどのデバイスを概念的に示すブロック図である。最初に図１１Ａを参照すると、ブロック図１１００は、様々な例によるワイヤレス通信において使用するデバイス１１０５を示す。いくつかの例では、デバイス１１０５は、図１を参照しながら説明した基地局またはｅＮＢ１０５あるいはＵＥ１１５の１つまたは複数の態様の一例であり得る。デバイス１１０５はまた、プロセッサであり得る。デバイス１１０５は、受信機モジュール１１１０、高速アクセスモジュール１１２０、または送信機モジュール１１３０を含み得る。これらの構成要素の各々は互いと通信していることがある。
【００９１】
[0113]デバイス１１０５の構成要素は、適用可能な機能の一部または全部をハードウェアで実行するように適応された１つまたは複数の特定用途向け集積回路（ＡＳＩＣ）を用いて、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００９２】
[0114]いくつかの例では、受信機モジュール１１１０は、２つまたはそれ以上の階層レイヤ上で（たとえば、レガシーＬＴＥサブフレームおよびバーストモードサブフレームを通して）送信を受信するように動作可能な無線周波数（ＲＦ）受信機などのＲＦ受信機であるか、またはそれを含み得る。受信機モジュール１１１０は、図１を参照しながら説明したワイヤレス通信システム１００の１つまたは複数の通信リンク１２５など、ワイヤレス通信システムの１つまたは複数の通信リンク上で様々なタイプのデータまたは制御信号（すなわち、送信）を受信するために使用され得る。
【００９３】
[0115]いくつかの例では、送信機モジュール１１３０は、２つまたはそれ以上の階層レイヤ上で（たとえば、レガシーＬＴＥサブフレームおよびバーストモードサブフレームを通して）送信するように動作可能なＲＦ送信機などのＲＦ送信機であるか、またはそれを含み得る。送信機モジュール１１３０は、図１を参照しながら説明したワイヤレス通信システム１００の１つまたは複数の通信リンク１２５など、ワイヤレス通信システムの１つまたは複数の通信リンク上で様々なタイプのデータまたは制御信号（すなわち、送信）を送信するために使用され得る。
【００９４】
[0116]いくつかの例では、高速アクセスモジュール１１２０は、２つまたはそれ以上のレイテンシモードを有するワイヤレス通信システムにおいて、デバイス１１０５動作のためにトリガリソースまたはトリガリソースの監視を構成し得る。高速アクセスモジュール１１２０は、たとえば、ワイヤレス通信システム内で動作し、低レイテンシ通信モードに切り替えるようにデバイス１１０５を構成し得る。構成および動作は、たとえば、図１〜図１０に関して上記で説明したような、レガシーまたは低レイテンシモードサブフレームの送信または受信を含み得る。
【００９５】
[0117]次に図１１Ｂを参照すると、ブロック図１１５０は、本開示の様々な態様による、ワイヤレス通信において使用するデバイス１１５５を示す。いくつかの例では、デバイス１１５５は、図１または図１１Ａを参照しながら説明した基地局またはｅＮＢ１０５、ＵＥ１１５、あるいはデバイス１１０５の１つまたは複数の態様の一例であり得る。デバイス１１５５はまた、プロセッサであり得る。デバイス１１５５は、受信機モジュール１１１０、高速アクセスモジュール１１２０−ａ、または送信機モジュール１１３０を含み得る。これらの構成要素の各々は互いと通信していることがある。
【００９６】
[0118]デバイス１１５５の構成要素は、適用可能な機能の一部または全部をハードウェアで実行するように適応された１つまたは複数のＡＳＩＣを用いて、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００９７】
[0119]いくつかの例では、受信機モジュール１１１０−ａは図１１Ａの受信機モジュール１１１０の一例であり得る。受信機モジュール１１１０−ａは、２つまたはそれ以上のレイテンシモード上で（たとえば、レガシーＬＴＥサブフレームおよび低レイテンシモードサブフレームを通して）送信を受信するように動作可能な無線周波数（ＲＦ）受信機などのＲＦ受信機であるか、またはそれを含み得る。ＲＦ受信機は、いくつかの例では、第１の階層レイヤおよび第２の階層レイヤについて別個の受信機を含み得る。他の例では、ＲＦ受信機は、単一の受信機を含むか、または送信／受信チェーンごとに単一の受信機を含み得、高速アクセスモジュール１１２０−ａのクロックモジュール１１８０は、異なるシンボル持続時間を有する受信されたシンボルを処理するように適応され得る。受信機モジュール１１１０−ａは、図１を参照しながら説明したワイヤレス通信システム１００の１つまたは複数の通信リンク１２５など、ワイヤレス通信システムの１つまたは複数の通信リンク上で様々なタイプのデータまたは制御信号（すなわち、送信）を受信するために使用され得る。
【００９８】
[0120]いくつかの例では、送信機モジュール１１３０−ａは図１１Ａの送信機モジュール１１３０の一例であり得る。送信機モジュール１１３０−ａは、２つまたはそれ以上のレイテンシモード上で（たとえば、レガシーＬＴＥサブフレームおよび低レイテンシモードサブフレームを通して）送信するように動作可能な無線周波数（ＲＦ）送信機などのＲＦ送信機であるか、またはそれを含み得る。ＲＦ送信機１１３０−ａは、いくつかの例では、単一の送信機を含むか、または送信／受信チェーンごとに単一の送信機を含み得、高速アクセスモジュール１１２０−ａのクロックモジュール１１８０は、異なるシンボル持続時間を有するシンボルを生成するように適応され得る。送信機モジュール１１３０−ａは、図１を参照しながら説明したワイヤレス通信システム１００の１つまたは複数の通信リンク１２５など、２つまたはそれ以上の階層レイヤ上を含む、ワイヤレス通信システムの１つまたは複数の通信リンク上で様々なタイプのデータまたは制御信号（すなわち、送信）を受信するために使用され得る。
【００９９】
[0121]高速アクセスモジュール１１２０−ａは、図１１Ａを参照しながら説明した高速アクセスモジュール１１２０の一例であり得、トリガリソース構成モジュール１１７０と、トリガ監視モジュール１１７５と、クロックモジュール１１８０と、随意の動的帯域幅モジュール１１８５とを含み得る。これらの構成要素の各々は互いと通信していることがある。
【０１００】
[0122]いくつかの例では、トリガリソース構成モジュール１１７０は、たとえば、図１〜図１０に関して上記で説明したような、デバイス１１５５のための、専用ＦＤＭリソースなど、トリガリソースの構成を実行し得る。トリガ監視モジュール１１７５は、たとえば、図１〜図１０に関して上記で説明したような低レイテンシモードに入るためにトリガを監視するようにデバイス１１５５について構成し得る。クロックモジュール１１８０は、たとえば、図１〜図１０に関して上記で説明したような、異なるシンボル持続時間を有する、シンボルの生成、および受信されたシンボルの処理を可能にするためにクロックが適応されることを可能にするために、クロック適応を実行し得る。随意の動的帯域幅モジュール１１８５は、たとえば、図１〜図１０に関して上記で説明したような、たとえば、リソースを利用する必要があり得るＵＥの数に基づいて専用リソースの帯域幅を変更し得る例では、帯域幅スケーリングを実行し得る。
【０１０１】
[0123]図１２は、ワイヤレス通信システム内での低レイテンシ通信のために構成された、本開示の態様による、ｅＮＢの設計を概念的に示すブロック図１２００である。例では、ｅＮＢ１０５−ｂは、図１または図１１を参照しながら説明した基地局、ｅＮＢ、またはデバイス１０５、１１０５、または１１５５の１つまたは複数の態様の一例であり得る。ｅＮＢ１０５−ｂは、図１〜図１０に関して説明した低レイテンシ通信特徴および機能のうちの少なくともいくつかを実装するように構成され得る。ｅＮＢ１０５−ｂは、プロセッサモジュール１２１０、メモリモジュール１２２０、（（１つまたは複数の）トランシーバモジュール１２５５によって表される）少なくとも１つのトランシーバモジュール、（（１つまたは複数の）アンテナ１２６０によって表される）少なくとも１つのアンテナ、またはｅＮＢ高速アクセスモジュール１２７０を含み得る。ｅＮＢ１０５−ｂはまた、ｅＮＢ通信モジュール１２３０およびネットワーク通信モジュール１２４０の一方または両方を含み得る。これらの構成要素の各々は、１つまたは複数のバス１２３５上で、直接または間接的に互いと通信していることがある。
【０１０２】
[0124]メモリモジュール１２２０は、ランダムアクセスメモリ（ＲＡＭ）または読取り専用メモリ（ＲＯＭ）を含み得る。メモリモジュール１２２０は、実行されたとき、上記で説明したような、低レイテンシサブフレームの送信または受信を含む、２つまたはそれ以上のレイヤにおける低レイテンシ通信のための本明細書で説明する様々な機能をプロセッサモジュール１２１０に実行させるように構成された命令を含んでいるコンピュータ可読、コンピュータ実行可能ソフトウェア（ＳＷ）コード１２２５を記憶し得る。代替的に、ソフトウェアコード１２２５は、プロセッサモジュール１２１０によって直接的に実行可能でないが、たとえば、コンパイルされ、実行されたとき、本明細書で説明する機能の様々な態様をｅＮＢ１０５−ｂに実行させるように構成され得る。
【０１０３】
[0125]プロセッサモジュール１２１０は、インテリジェントハードウェアデバイス、たとえば、中央処理ユニット（ＣＰＵ）、マイクロコントローラ、ＡＳＩＣなどを含み得る。プロセッサモジュール１２１０は、（１つまたは複数の）トランシーバモジュール１２５５、ｅＮＢ通信モジュール１２３０、またはネットワーク通信モジュール１２４０を通して受信された情報を処理し得る。プロセッサモジュール１２１０はまた、（１つまたは複数の）アンテナ１２６０を通した送信のために（１つまたは複数の）トランシーバモジュール１２５５に送られるべき情報、１つまたは複数の他の基地局またはｅＮＢ１０５−ｎおよび１０５−ｍへの送信のためにｅＮＢ通信モジュール１２３０に送られるべき情報、あるいは図１を参照しながら説明したコアネットワーク１３０の態様の一例であり得る、コアネットワーク１３０−ａへの送信のためにネットワーク通信モジュール１２４０に送られるべき情報を処理し得る。プロセッサモジュール１２１０は、図１〜図１０に関して上記で説明したような、２つまたはそれ以上の階層レイヤにおける階層通信の様々な態様を、単独で、またはｅＮＢ高速アクセスモジュール１２７０とともに扱い得る。
【０１０４】
[0126]（１つまたは複数の）トランシーバモジュール１２５５は、パケットを変調し、変調されたパケットを送信のために（１つまたは複数の）アンテナ１２６０に与え、（１つまたは複数の）アンテナ１２６０から受信されたパケットを復調するように構成されたモデムを含み得る。（１つまたは複数の）トランシーバモジュール１２５５は、１つまたは複数の送信機モジュールおよび１つまたは複数の別個の受信機モジュールとして実装され得る。（１つまたは複数の）トランシーバモジュール１２５５は、（たとえば、レガシーＬＴＥサブフレームおよび低レイテンシモードサブフレームを通して）低レイテンシ通信をサポートし得る。（１つまたは複数の）トランシーバモジュール１２５５は、たとえば、図１または図１１を参照しながら説明したＵＥまたはデバイス１１５、１１０５または１１５５のうちの１つまたは複数と、（１つまたは複数の）アンテナ１２６０を介して双方向に通信するように構成され得る。ｅＮＢ１０５−ｂは、複数のアンテナ１２６０（たとえば、アンテナアレイ）を含み得る。ｅＮＢ１０５−ｂは、ネットワーク通信モジュール１２４０を通してコアネットワーク１３０−ａと通信し得る。ｅＮＢ１０５−ｂは、ｅＮＢ通信モジュール１２３０を使用して、ｅＮＢ１０５−ｎまたは１０５−ｍなど、他のアクセスポイントまたはｅＮＢと通信し得る。
【０１０５】
[0127]図１２のアーキテクチャによれば、ｅＮＢ１０５−ｂは、通信管理モジュール１２５０をさらに含み得る。通信管理モジュール１２５０は、他の基地局、ｅＮＢ、またはデバイスとの通信を管理し得る。通信管理モジュール１２５０は、１つまたは複数のバス１２３５を介してｅＮＢ１０５−ｂの他の構成要素の一部または全部と通信していることがある。代替的に、通信管理モジュール１２５０の機能は、（１つまたは複数の）トランシーバモジュール１２５５の構成要素として、コンピュータプログラム製品として、またはプロセッサモジュール１２１０の１つまたは複数のコントローラ要素として実装され得る。
【０１０６】
[0128]ｅＮＢ高速アクセスモジュール１２７０は、図１〜図１０を参照しながら説明したｅＮＢ階層通信機能または態様の一部または全部を実行または制御するように構成され得る。たとえば、ｅＮＢ高速アクセスモジュール１２７０は、低レイテンシモードサブフレームの送信／受信などを通して、複数のレイテンシ送信のために構成されたワイヤレス通信システムの低レイテンシ通信をサポートするように構成され得る。ｅＮＢ高速アクセスモジュール１２７０は、低レイテンシ通信をトリガするために使用され得るトリガリソースを与えるようにｅＮＢ１０５−ｂを構成するためのｅＮＢトリガリソース構成モジュール１２８０と、トリガの送信を監視することに関係する機能を実行するように構成されたｅＮＢトリガ監視モジュール１２８５と、シンボル持続時間に基づいてクロック適応を与えるように構成されたｅＮＢクロックモジュール１２９０と、帯域幅スケーリングを実行するように構成された随意のｅＮＢスケーラブル帯域幅モジュール１２９５とを含み得る。ｅＮＢ高速アクセスモジュール１２７０は、図１１Ａまたは図１１Ｂを参照しながら説明した同様のモジュール（たとえば、モジュール１１２０）の一例であり得る。ｅＮＢ高速アクセスモジュール１２７０またはそれの部分はプロセッサを含み得るか、あるいはｅＮＢ高速アクセスモジュール１２７０の機能の一部または全部は、プロセッサモジュール１２１０によって、またはプロセッサモジュール１２１０とともに実行され得る。
【０１０７】
[0129]図１３は、ワイヤレス通信システムにおける階層通信のために構成された、本開示の態様による、ＵＥの設計を概念的に示すブロック図１３００である。ＵＥ１１５−ｂは、様々な他の構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲーミングコンソール、電子リーダーなど含まれるかまたはそれらの一部であり得る。ＵＥ１１５−ｂは、モバイル動作を可能にするために、小型バッテリーなどの内部電源（図示せず）を有し得る。いくつかの例では、ＵＥ１１５−ｂは、図１、図１１Ａまたは図１１Ｂを参照しながら説明したＵＥまたはデバイス１１５、１１０５または１１５５のうちの１つまたは複数の一例であり得る。ＵＥ１１５−ｂは、図１、図１１Ａ、図１１Ｂまたは図１２を参照しながら説明したアクセスポイント、ｅＮＢまたはデバイス１０５、１１０５または１１５５のうちの１つまたは複数と通信するように構成され得る。
【０１０８】
[0130]ＵＥ１１５−ｂは、プロセッサモジュール１３１０、メモリモジュール１３２０、（（１つまたは複数の）トランシーバモジュール１３７０によって表される）少なくとも１つのトランシーバモジュール、（（１つまたは複数の）アンテナ１３８０によって表される）少なくとも１つのアンテナ、またはＵＥ高速アクセスモジュール１３４０を含み得る。これらの構成要素の各々は、１つまたは複数のバス１３３５上で、直接または間接的に互いと通信していることがある。
【０１０９】
[0131]メモリモジュール１３２０はＲＡＭまたはＲＯＭを含み得る。メモリモジュール１３２０は、実行されたとき、ワイヤレス通信システムにおける階層通信のための本明細書で説明する様々な機能をプロセッサモジュール１３１０に実行させるように構成された命令を含んでいるコンピュータ可読、コンピュータ実行可能ソフトウェア（ＳＷ）コード１３２５を記憶し得る。代替的に、ソフトウェアコード１３２５は、プロセッサモジュール１３１０によって直接的に実行可能でないが、（たとえば、コンパイルされ、実行されたとき）本明細書で説明するＵＥ機能の様々な態様をＵＥ１１５−ｂに実行させるように構成され得る。
【０１１０】
[0132]プロセッサモジュール１３１０は、インテリジェントハードウェアデバイス、たとえば、ＣＰＵ、マイクロコントローラ、ＡＳＩＣなどを含み得る。プロセッサモジュール１３１０は、（１つまたは複数の）トランシーバモジュール１３７０を通して受信された情報、または（１つまたは複数の）アンテナ１３８０を通した送信のために（１つまたは複数の）トランシーバモジュール１３７０に送られるべき情報を処理し得る。プロセッサモジュール１３１０は、たとえば、低レイテンシモードサブフレームの送信および受信を含む、低レイテンシ通信の様々な態様を、単独で、またはＵＥ高速アクセスモジュール１３４０とともに扱い得る。
【０１１１】
[0133]（１つまたは複数の）トランシーバモジュール１３７０は、ｅＮＢと双方向に通信するように構成され得る。（１つまたは複数の）トランシーバモジュール１３７０は、１つまたは複数の送信機モジュールおよび１つまたは複数の別個の受信機モジュールとして実装され得る。（１つまたは複数の）トランシーバモジュール１３７０は、低レイテンシ通信をサポートし得る。（１つまたは複数の）トランシーバモジュール１３７０は、パケットを変調し、変調されたパケットを送信のために（１つまたは複数の）アンテナ１３８０に与え、（１つまたは複数の）アンテナ１３８０から受信されたパケットを復調するように構成されたモデムを含み得る。ＵＥ１１５−ｂは単一のアンテナを含み得るが、ＵＥ１１５−ｂが複数のアンテナ１３８０を含み得る例があり得る。
【０１１２】
[0134]図１３のアーキテクチャによれば、ＵＥ１１５−ｂは通信管理モジュール１３３０をさらに含み得る。通信管理モジュール１３３０は、様々な基地局またはｅＮＢとの通信を管理し得る。通信管理モジュール１３３０は、１つまたは複数のバス１３３５上でＵＥ１１５−ｂの他の構成要素の一部または全部と通信しているＵＥ１１５−ｂの構成要素であり得る。代替的に、通信管理モジュール１３３０の機能は、（１つまたは複数の）トランシーバモジュール１３７０の構成要素として、コンピュータプログラム製品として、またはプロセッサモジュール１３１０の１つまたは複数のコントローラ要素として実装され得る。
【０１１３】
[0135]ＵＥ高速アクセスモジュール１３４０は、送信における複数のレイテンシを有することをサポートするワイヤレス通信システムにおいて低レイテンシ通信を使用することに関係する、図１〜図１０で説明したＵＥ低レイテンシ通信機能または態様の一部または全部を実行または制御するように構成され得る。たとえば、ＵＥ高速アクセスモジュール１３４０は、高速アクセスを要求するためのトリガを送信することと、トリガリソースを監視することと、受信されたシンボルを処理するかまたは１つまたは複数の低レイテンシモードサブフレーム中に含まれ得るシンボルを生成することとを行うように構成され得る。ＵＥ高速アクセスモジュール１３４０は、トリガリソースを監視するかまたはトリガリソース上でトリガを送信するためにＵＥ１１５−ｂを構成するためのＵＥトリガリソース構成モジュール１３５０と、低レイテンシ通信モードに切り替えるための受信されたトリガについて構成されたトリガリソースを監視するように構成されたＵＥトリガ監視モジュール１３５５と、シンボル持続時間に基づいてクロック適応を与えるように構成されたＵＥクロックモジュール１３６０とを含み得る。ＵＥ高速アクセスモジュール１３４０またはそれの部分はプロセッサを含み得るか、あるいはＵＥ高速アクセスモジュール１３４０の機能の一部または全部は、プロセッサモジュール１３１０によって、またはプロセッサモジュール１３１０とともに実行され得る。
【０１１４】
[0136]次に図１４を参照すると、ｅＮＢ１０５−ｃおよびＵＥ１１５−ｃを含む多入力多出力（ＭＩＭＯ）通信システム１４００のブロック図が示されている。ｅＮＢ１０５−ｃおよびＵＥ１１５−ｃは、ワイヤレス通信システムにおける低レイテンシ通信をサポートし得る。ｅＮＢ１０５−ｃは、図１、図１１Ａ、図１１Ｂ、または図１２を参照しながら説明したアクセスポイント、ｅＮＢまたはデバイス１０５、１１０５、または１１５５の１つまたは複数の態様の一例であり得、ＵＥ１１５−ｃは、図１、図１１Ａ、図１１Ｂ、または図１３を参照しながら説明したＵＥまたはデバイス１１５、１１０５、または１１５５の１つまたは複数の態様の一例であり得る。システム１４００は、図１を参照しながら説明したワイヤレス通信システム１００の態様を示し得、図１〜図１３を参照しながら上記で説明したような異なる時間期間中にノードの異なるサブセットにわたって低レイテンシ送信をサポートし得る。
【０１１５】
[0137]ｅＮＢ１０５−ｃはアンテナ１４３４−０〜１４３４−ｘを装備し得、ＵＥ１１５−ｃはアンテナ１４５２−０〜１４５２−ｎを装備し得る。システム１４００では、ｅＮＢ１０５−ｃは、同時に複数の通信リンク上でデータを送ることが可能であり得る。各通信リンクは「レイヤ」と呼ばれることがあり、通信リンクの「ランク」は、通信のために使用されるレイヤの数を示し得る。たとえば、ｅＮＢ１０５−ｃが２つの「レイヤ」を送信する２×２ＭＩＭＯシステムでは、ｅＮＢ１０５−ｃとＵＥ１１５−ｃとの間の通信リンクのランクは２であり得る。
【０１１６】
[0138]ｅＮＢ１０５−ｃにおいて、送信（Ｔｘ）プロセッサ１４２０がデータソースからデータを受信し得る。送信プロセッサ１４２０はデータを処理し得る。送信プロセッサ１４２０はまた、基準シンボルまたはセル固有基準信号を生成し得る。送信（Ｔｘ）ＭＩＭＯプロセッサ１４３０が、適用可能な場合、データシンボル、制御シンボル、または基準シンボルに対して空間処理（たとえば、プリコーディング）を実行し得、出力シンボルストリームを送信（Ｔｘ）変調器１４３２−０〜１４３２−ｘに与え得る。各変調器１４３２は、（たとえば、ＯＦＤＭなどのための）それぞれの出力シンボルストリームを処理して、出力サンプルストリームを取得し得る。各変調器１４３２はさらに、ダウンリンク（ＤＬ）信号を取得するために、出力サンプルストリームを処理（たとえば、アナログへの変換、増幅、フィルタ処理、およびアップコンバート）し得る。一例では、変調器１４３２−０〜１４３２−ｘからのＤＬ信号は、それぞれアンテナ１４３４−０〜１４３４−ｘを介して送信され得る。
【０１１７】
[0139]ＵＥ１１５−ｃにおいて、アンテナ１４５２−０〜１４５２−ｎは、ｅＮＢ１０５−ｃからのＤＬ信号を受信し得、受信された信号をそれぞれ受信（Ｒｘ）復調器１４５４−０〜１４５４−ｎに与え得る。各復調器１４５４は、入力サンプルを取得するために、それぞれの受信信号を調整（たとえば、フィルタ処理、増幅、ダウンコンバート、およびデジタル化）し得る。各復調器１４５４はさらに、受信シンボルを取得するために、（たとえば、ＯＦＤＭなどのために）入力サンプルを処理し得る。ＭＩＭＯ検出器１４５６は、すべての復調器１４５４−０〜１４５４−ｎから受信シンボルを取得し、適用可能な場合は受信シンボルに対してＭＩＭＯ検出を実行し、検出されたシンボルを与え得る。受信（Ｒｘ）プロセッサ１４５８が、検出されたシンボルを処理（たとえば、復調、デインターリーブ、および復号）し、ＵＥ１１５−ｃの復号されたデータをデータ出力に与え、復号された制御情報をプロセッサ１４８０、またはメモリ１４８２に与え得る。プロセッサ１４８０は、ワイヤレス通信システムにおける低レイテンシ送信に関係する様々な機能を実行し得るモジュールまたは機能１４８１を含み得る。たとえば、モジュールまたは機能１４８１は、図１１Ａまたは図１１Ｂを参照しながら説明した高速アクセスモジュール１１２０の、あるいは図１２を参照しながら説明したｅＮＢ高速アクセスモジュール１２７０の機能の一部または全部を実行し得る。
【０１１８】
[0140]アップリンク（ＵＬ）上で、ＵＥ１１５−ｃにおいて、送信（Ｔｘ）プロセッサ１４６４が、データソースからデータを受信し、処理し得る。送信プロセッサ１４６４はまた、基準信号のための基準シンボルを生成し得る。送信プロセッサ１４６４からのシンボルは、適用可能な場合は送信（Ｔｘ）ＭＩＭＯプロセッサ１４６６によってプリコーディングされ、（たとえば、ＳＣ−ＦＤＭＡなどのために）送信（Ｔｘ）変調器１４５４−０〜１４５４−ｎによってさらに処理され、ｅＮＢ１０５−ｃから受信された送信パラメータに従ってｅＮＢ１０５−ｃに送信され得る。ｅＮＢ１０５−ｃにおいて、ＵＥ１１５−ｃからのＵＬ信号は、アンテナ１４３４によって受信され、受信機（Ｒｘ）復調器１４３２によって処理され、適用可能な場合はＭＩＭＯ検出器１４３６によって検出され、受信（Ｒｘ）プロセッサ１４３８によってさらに処理され得る。受信プロセッサ１４３８は、復号されたデータをデータ出力とプロセッサ１４４０またはメモリ１４４２とに与え得る。プロセッサ１４４０は、ワイヤレス通信システムにおける低レイテンシ送信に関係する様々な態様を実行し得るモジュールまたは機能１４４１を含み得る。たとえば、モジュールまたは機能１４４１は、図１１Ａまたは図１１Ｂを参照しながら説明した高速アクセスモジュール１１２０の、あるいは図１３を参照しながら説明したＵＥ高速アクセスモジュール１３４０の機能の一部または全部を実行し得る。
【０１１９】
[0141]ｅＮＢ１０５−ｃの構成要素は、適用可能な機能の一部または全部をハードウェアで実行するように適応された１つまたは複数のＡＳＩＣを用いて、個々にまたはまとめて実装され得る。言及したモジュールの各々は、システム１４００の動作に関係する１つまたは複数の機能を実行するための手段であり得る。同様に、ＵＥ１１５−ｃの構成要素は、適用可能な機能の一部または全部をハードウェアで実行するように適応された１つまたは複数のＡＳＩＣを用いて、個々にまたはまとめて実装され得る。言及した構成要素の各々は、システム１４００の動作に関係する１つまたは複数の機能を実行するための手段であり得る。
【０１２０】
[0142]図１５は、本開示の態様による、ワイヤレス通信の方法の一例を概念的に示すフローチャートである。明快のために、方法１５００について、図１、図１１Ａ、図１１Ｂ、図１２、図１３、または図１４を参照しながら説明した基地局、ｅＮＢ、ＵＥ、またはデバイス１０５、１１５、１１０５、または１１５５のうちの１つに関して以下で説明する。一例では、ｅＮＢ、ＵＥ、またはデバイスは、以下で説明する機能を実行するために、ｅＮＢ、ＵＥ、またはデバイスの機能要素を制御するためのコードの１つまたは複数のセットを実行し得る。
【０１２１】
[0143]ブロック１５０５において、ｅＮＢ、ＵＥ、またはデバイスは、第１のサブフレームタイプと第２のサブフレームタイプとを有する送信をサポートするワイヤレス通信ネットワークにおける通信を確立し、第１のサブフレームタイプは第１の持続時間のシンボルを備え、第２のサブフレームタイプは、第１の持続時間よりも短い第２の持続時間のシンボルを備える。ブロック１５０５における（１つまたは複数の）動作は、場合によっては、図１１Ａまたは図１１Ｂを参照しながら説明した高速アクセスモジュール１１２０、図１２を参照しながら説明したｅＮＢ高速アクセスモジュール１２７０、図１３を参照しながら説明したＵＥ高速アクセスモジュール１３４０、図１４を参照しながら説明したプロセッサ１４８０またはプロセッサ１４４０および関係する構成要素を使用して実行され得る。
【０１２２】
[0144]ブロック１５１０において、ｅＮＢ、ＵＥ、またはデバイスは、第２のサブフレームタイプを有する送信を開始するためのトリガについて所定のワイヤレス通信リソースを監視する。ブロック１５１０における（１つまたは複数の）動作は、場合によっては、図１１Ａまたは図１１Ｂを参照しながら説明した高速アクセスモジュール１１２０、図１２を参照しながら説明したｅＮＢ高速アクセスモジュール１２７０、図１３を参照しながら説明したＵＥ高速アクセスモジュール１３４０、図１４を参照しながら説明したプロセッサ１４８０またはプロセッサ１４４０および関係する構成要素を使用して実行され得る。方法１５００は一実装形態にすぎないこと、および方法１５００の動作は、他の実装形態が可能であるように、並べ替えられるかまたは場合によっては変更され得ることに留意されたい。
【０１２３】
[0145]図１６は、本開示の態様による、ワイヤレス通信の方法の一例を概念的に示すフローチャートである。明快のために、方法１６００について、図１、図１１Ａ、図１１Ｂ、図１２、図１３、または図１５を参照しながら説明した基地局、ｅＮＢ、ＵＥ、またはデバイス１０５、１１５、１１０５、または１１５５のうちの１つに関して以下で説明する。一例では、ｅＮＢ、ＵＥ、またはデバイスは、以下で説明する機能を実行するために、ｅＮＢ、ＵＥ、またはデバイスの機能要素を制御するためのコードの１つまたは複数のセットを実行し得る。
【０１２４】
[0146]ブロック１６０５において、ｅＮＢ、ＵＥ、またはデバイスは、第１のサブフレームタイプと第２のサブフレームタイプとを有する送信をサポートするワイヤレス通信ネットワークにおける通信を確立し、第１のサブフレームタイプは第１の持続時間のシンボルを備え、第２のサブフレームタイプは、第１の持続時間よりも短い第２の持続時間のシンボルを備える。ブロック１６０５における（１つまたは複数の）動作は、場合によっては、図１１Ａまたは図１１Ｂを参照しながら説明した高速アクセスモジュール１１２０、図１２を参照しながら説明したｅＮＢ高速アクセスモジュール１２７０、図１３を参照しながら説明したＵＥ高速アクセスモジュール１３４０、図１４を参照しながら説明したプロセッサ１４８０またはプロセッサ１４４０および関係する構成要素を使用して実行され得る。
【０１２５】
[0147]ブロック１６１０において、ｅＮＢ、ＵＥ、またはデバイスは、第２のサブフレームタイプを有する送信を開始するためのトリガについて所定のワイヤレス通信リソースを監視する。ブロック１６１０における（１つまたは複数の）動作は、場合によっては、図１１Ａまたは図１１Ｂを参照しながら説明した高速アクセスモジュール１１２０、図１２を参照しながら説明したｅＮＢ高速アクセスモジュール１２７０、図１３を参照しながら説明したＵＥ高速アクセスモジュール１３４０、図１４を参照しながら説明したプロセッサ１４８０またはプロセッサ１４４０および関係する構成要素を使用して実行され得る。方法１６００は一実装形態にすぎないこと、および方法１６００の動作は、他の実装形態が可能であるように、並べ替えられるかまたは場合によっては変更され得ることに留意されたい。
【０１２６】
[0148]ブロック１６１５において、ｅＮＢ、ＵＥ、またはデバイスは、トリガが受信されたと決定する。ブロック１６１５における（１つまたは複数の）動作は、場合によっては、図１１Ａまたは図１１Ｂを参照しながら説明した、トリガリソース構成モジュール１１７０および受信機モジュール１１１０と連携する高速アクセスモジュール１１２０、図１２を参照しながら説明した、ｅＮＢ高速アクセスモジュール１２７０、（１つまたは複数の）トランシーバモジュール１２５５および（１つまたは複数の）アンテナ１２６０、図１３を参照しながら説明した、ＵＥ高速アクセスモジュール１３４０、（１つまたは複数の）トランシーバモジュール１３７０および（１つまたは複数の）アンテナ１３８０、図１４を参照しながら説明したプロセッサ１４８０またはプロセッサ１４４０および関係する構成要素を使用して実行され得る。
【０１２７】
[0149]ブロック１６２０において、ｅＮＢ、ＵＥ、またはデバイスは、第２のサブフレームタイプを有する１つまたは複数のサブフレームを受信するために使用されるべきである送信リソースを決定する。ブロック１６２０における（１つまたは複数の）動作は、場合によっては、図１１Ａまたは図１１Ｂを参照しながら説明した高速アクセスモジュール１１２０、図１２を参照しながら説明した、ｅＮＢ高速アクセスモジュール１２７０、（１つまたは複数の）トランシーバモジュール１２５５、および（１つまたは複数の）アンテナ１２６０、図１３を参照しながら説明した、ＵＥ高速アクセスモジュール１３４０、（１つまたは複数の）トランシーバモジュール１３７０、および（１つまたは複数の）アンテナ１３８０、図１４を参照しながら説明したプロセッサ１４８０またはプロセッサ１４４０および関係する構成要素を使用して実行され得る。方法１６００は一実装形態にすぎないこと、および方法１６００の動作は、他の実装形態が可能であるように、並べ替えられるかまたは場合によっては変更され得ることに留意されたい。
【０１２８】
[0150]図１７は、本開示の態様による、ワイヤレス通信の方法の一例を概念的に示すフローチャートである。明快のために、方法１７００について、図１、図１１Ａ、図１１Ｂ、図１２、図１３、または図１５を参照しながら説明したアクセスポイント、ｅＮＢ、ＵＥ、またはデバイス１０５、１１５、１１０５、または１１５５のうちの１つに関して以下で説明する。一例では、ｅＮＢ、ＵＥ、またはデバイスは、以下で説明する機能を実行するために、ｅＮＢ、ＵＥ、またはデバイスの機能要素を制御するためのコードの１つまたは複数のセットを実行し得る。
【０１２９】
[0151]ブロック１７０５において、ｅＮＢ、ＵＥ、またはデバイスは、第１のサブフレームタイプと第２のサブフレームタイプとを有する送信をサポートするワイヤレス通信ネットワークにおける通信を確立し、第１のサブフレームタイプは第１の持続時間のシンボルを備え、第２のサブフレームタイプは、第１の持続時間よりも短い第２の持続時間のシンボルを備える。ブロック１７０５における（１つまたは複数の）動作は、場合によっては、図１１Ａまたは図１１Ｂを参照しながら説明した高速アクセスモジュール１１２０、図１２を参照しながら説明したｅＮＢ高速アクセスモジュール１２７０、図１３を参照しながら説明したＵＥ高速アクセスモジュール１３４０、図１４を参照しながら説明したプロセッサ１４８０またはプロセッサ１４４０および関係する構成要素を使用して実行され得る。
【０１３０】
[0152]ブロック１７１０において、ｅＮＢ、ＵＥ、またはデバイスは、データが、第２のサブフレームタイプを有する１つまたは複数のサブフレームを使用して送信されるべきであると決定する。ブロック１７１０における（１つまたは複数の）動作は、場合によっては、図１１Ａまたは図１１Ｂを参照しながら説明した高速アクセスモジュール１１２０、図１２を参照しながら説明したｅＮＢ高速アクセスモジュール１２７０、図１３を参照しながら説明したＵＥ高速アクセスモジュール１３４０、図１４を参照しながら説明したプロセッサ１４８０またはプロセッサ１４４０および関係する構成要素を使用して実行され得る。
【０１３１】
[0153]ブロック１７１５において、ｅＮＢ、ＵＥ、またはデバイスは、第２のサブフレームタイプを有する送信を開始するために、所定のワイヤレス通信リソースを使用してトリガを送信する。ブロック１７１５における（１つまたは複数の）動作は、場合によっては、図１１Ａまたは図１１Ｂを参照しながら説明した高速アクセスモジュール１１２０、図１２を参照しながら説明したｅＮＢ高速アクセスモジュール１２７０、図１３を参照しながら説明したＵＥ高速アクセスモジュール１３４０、図１４を参照しながら説明したプロセッサ１４８０またはプロセッサ１４４０および関係する構成要素を使用して実行され得る。方法１７００は一実装形態にすぎないこと、および方法１７００の動作は、他の実装形態が可能であるように、並べ替えられるかまたは場合によっては変更され得ることに留意されたい。
【０１３２】
[0154]図１８は、本開示の態様による、ワイヤレス通信の方法の一例を概念的に示すフローチャートである。明快のために、方法１８００について、図１、図１１Ａ、図１１Ｂ、図１２、図１３、または図１５を参照しながら説明したアクセスポイント、ｅＮＢ、ＵＥ、またはデバイス１０５、１１５、１１０５、または１１５５のうちの１つに関して以下で説明する。一例では、ｅＮＢ、ＵＥ、またはデバイスは、以下で説明する機能を実行するために、ｅＮＢ、ＵＥ、またはデバイスの機能要素を制御するためのコードの１つまたは複数のセットを実行し得る。
【０１３３】
[0155]ブロック１８０５において、ｅＮＢ、ＵＥ、またはデバイスは、ワイヤレス通信ネットワークにおいて第１のレイテンシモードおよび第２のレイテンシモードを構成し、第１のレイテンシモードでの送信が、送信と、送信の受信の確認応答との間の第１のラウンドトリップ時間（ＲＴＴ）を有し、第２のレイテンシモードでの送信が、第１のＲＴＴよりも小さい第２のＲＴＴを有する。ブロック１８０５における（１つまたは複数の）動作は、場合によっては、図１１Ａまたは図１１Ｂを参照しながら説明した高速アクセスモジュール１１２０、図１２を参照しながら説明したｅＮＢ高速アクセスモジュール１２７０、図１３を参照しながら説明したＵＥ高速アクセスモジュール１３４０、図１４を参照しながら説明したプロセッサ１４８０またはプロセッサ１４４０および関係する構成要素を使用して実行され得る。
【０１３４】
[0156]ブロック１８１０において、ｅＮＢ、ＵＥ、またはデバイスは、第２のレイテンシモードの使用をトリガするために、ワイヤレス通信ネットワークにおいて動作するデバイスのためのリソースを構成する。ブロック１８１０における（１つまたは複数の）動作は、場合によっては、図１１Ａまたは図１１Ｂを参照しながら説明した高速アクセスモジュール１１２０、図１２を参照しながら説明したｅＮＢ高速アクセスモジュール１２７０、図１３を参照しながら説明したＵＥ高速アクセスモジュール１３４０、図１４を参照しながら説明したプロセッサ１４８０またはプロセッサ１４４０および関係する構成要素を使用して実行され得る。
【０１３５】
[0157]ブロック１８１５において、ｅＮＢ、ＵＥ、またはデバイスは、第２のサブフレームタイプを有する送信を開始するために、所定のワイヤレス通信リソースを使用してトリガを送信する。ブロック１８１５における（１つまたは複数の）動作は、場合によっては、図１１Ａまたは図１１Ｂを参照しながら説明した高速アクセスモジュール１１２０、図１２を参照しながら説明したｅＮＢ高速アクセスモジュール１２７０、図１３を参照しながら説明したＵＥ高速アクセスモジュール１３４０、図１４を参照しながら説明したプロセッサ１４８０またはプロセッサ１４４０および関係する構成要素を使用して実行され得る。方法１８００は一実装形態にすぎないこと、および方法１８００の動作は、他の実装形態が可能であるように、並べ替えられるかまたは場合によっては変更され得ることに留意されたい。
【０１３６】
[0158]添付の図面に関して上記に記載した詳細な説明は、例示的な実施形態について説明しており、実装され得るまたは特許請求の範囲内に入る実施形態のみを表すものではない。この説明全体にわたって使用する「例示的」という用語は、「例、事例、または例示の働きをすること」を意味し、「好ましい」または「他の実施形態よりも有利な」を意味しない。詳細な説明は、説明する技法の理解を与えるための具体的な詳細を含む。ただし、これらの技法は、これらの具体的な詳細なしに実施され得る。いくつかの事例では、説明した実施形態の概念を不明瞭にすることを回避するために、よく知られている構造およびデバイスはブロック図の形式で示されている。
【０１３７】
[0159]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１３８】
[0160]本明細書の開示に関して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、またはステートマシンであり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【０１３９】
[0161]本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態が、本開示および添付の特許請求の範囲の範囲および趣旨内に入る。たとえば、ソフトウェアの性質により、上記で説明した機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が異なる物理的ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣ、またはＡＢまたはＡＣまたはＢＣまたはＡＢＣ（すなわち、ＡおよびＢおよびＣ）を意味するような選言的列挙を示す。
【０１４０】
[0162]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１４１】
[0163]本開示についての以上の説明は、当業者が本開示を作成または使用することができるように与えられる。本開示への様々な変更は当業者には容易に明らかになり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明した例および設計に限定されるべきでなく、本明細書で開示した原理および新規の特徴に一致する最も広い範囲を与えられるべきである。
以下に、出願当初の特許請求の範囲に記載された発明を付記する。
［Ｃ１］
ワイヤレス通信のための方法であって、
第１のサブフレームタイプと第２のサブフレームタイプとを有する送信をサポートするワイヤレス通信ネットワークにおける通信を確立することと、ここで、前記第１のサブフレームタイプが第１の持続時間のシンボルを備え、前記第２のサブフレームタイプが、前記第１の持続時間よりも短い第２の持続時間のシンボルを備え、
前記第２のサブフレームタイプを有する送信を開始するためのトリガについて所定のワイヤレス通信リソースを監視することと
を備える、ワイヤレス通信のための方法。
［Ｃ２］
前記トリガが受信されたと決定することと、
前記第２のサブフレームタイプを有する送信を受信することと
をさらに備え、
前記決定することと前記受信することとの間のレイテンシが、前記第１のサブフレームタイプを有する送信を開始することと、前記第１のサブフレームタイプを有する送信を受信することとの間のレイテンシよりも小さい、
上記Ｃ１に記載の方法。
［Ｃ３］
前記監視することが、前記トリガについて専用周波数リソースを監視することを備え、前記専用周波数リソースが、前記監視することのために連続的に利用可能な専用周波数分割多重化（ＦＤＭ）サブバンドを備える、上記Ｃ１に記載の方法。
［Ｃ４］
前記監視することが、前記トリガについて専用周波数リソースを監視することを備え、前記専用周波数リソースの帯域幅が、前記専用周波数リソースを使用して前記トリガを送信または受信するように構成されたデバイスの数に基づく、上記Ｃ１に記載の方法。
［Ｃ５］
前記監視することが、前記トリガについて専用周波数リソースを監視することを備え、前記専用周波数リソースが、ＦＤＭリソースの２つまたはそれ以上の不連続リソースブロックを備える、上記Ｃ１に記載の方法。
［Ｃ６］
前記監視することは、
前記トリガについて専用時間リソースを監視すること、ここにおいて、前記専用時間リソースが、時分割多重化（ＴＤＭ）サブフレームのあらかじめ定義された部分を備え、前記あらかじめ定義された部分が、前記第１の持続時間を有する前記ＴＤＭサブフレームの１つまたは複数のシンボルを備え、前記ＴＤＭサブフレームの前記１つまたは複数のシンボルが、前記ＴＤＭサブフレームの第１のシンボルと前記ＴＤＭサブフレームの第２のシンボルとを備え、前記１つまたは複数のシンボルに続く前記ＴＤＭサブフレームの少なくとも１つの後続のシンボルが、前記第２の持続時間を有する、
を備える、上記Ｃ１に記載の方法。
［Ｃ７］
前記監視することがユーザ機器（ＵＥ）によって実行され、前記方法は、
前記トリガが受信されたと決定することと、
前記ＵＥにおいて前記第２のサブフレームタイプを有する１つまたは複数のサブフレームを受信するために使用されるべきである送信リソースを決定することと
をさらに備える、上記Ｃ１に記載の方法。
［Ｃ８］
前記トリガが受信されたと前記決定することは、
前記ＵＥに関連付けられたあらかじめ定義されたリソース上で前記トリガが受信されたと決定すること、または
前記ＵＥを識別する識別情報を前記トリガが含むと決定すること
のうちの１つまたは複数を備える、上記Ｃ７に記載の方法。
［Ｃ９］
前記監視することが基地局によって実行され、前記方法は、
前記トリガがユーザ機器（ＵＥ）から受信されたと決定することと、
前記第２のサブフレームタイプを有する１つまたは複数のサブフレームを送信するためのリソースの割当てを前記ＵＥに送信することと
をさらに備える、上記Ｃ１に記載の方法。
［Ｃ１０］
前記トリガが、
ＵＥ識別情報、
遅延要件、または
帯域幅要件
のうちの１つまたは複数を備える、上記Ｃ９に記載の方法。
［Ｃ１１］
前記トリガが前記ＵＥから受信されたと前記決定することは、
２つまたはそれ以上のトリガが２つまたはそれ以上のＵＥから受信されたと決定することと、
前記２つまたはそれ以上のＵＥ間の競合を解決することと
を備え、
前記割当てを前記送信することが、前記２つまたはそれ以上のＵＥ間の競合を前記解決することに応答して、リソースの前記割当てを前記２つまたはそれ以上のＵＥのうちの１つに送信することを備える、
上記Ｃ９に記載の方法。
［Ｃ１２］
前記監視することが基地局によって実行され、前記方法は、
前記トリガがユーザ機器（ＵＥ）から受信されたと決定することと、
前記第２のサブフレームタイプを有するサブフレームを備える自律送信を前記ＵＥから受信することと
をさらに備える、上記Ｃ１に記載の方法。
［Ｃ１３］
ワイヤレス通信のための方法であって、
第１のサブフレームタイプと第２のサブフレームタイプとを有する送信をサポートするワイヤレス通信ネットワークにおける通信を確立することと、ここで、前記第１のサブフレームタイプが第１の持続時間のシンボルを備え、前記第２のサブフレームタイプが、前記第１の持続時間よりも短い第２の持続時間のシンボルを備え、
前記第２のサブフレームタイプを有する１つまたは複数のサブフレームを使用してデータが送信されるべきであると決定することと、
前記第２のサブフレームタイプを有する送信を開始するために、所定のワイヤレス通信リソースを使用してトリガを送信することと
を備える、ワイヤレス通信のための方法。
［Ｃ１４］
前記方法が基地局によって実行され、前記方法が、
前記トリガに続いて、前記第２のサブフレームタイプを有する前記１つまたは複数のサブフレームを送信すること
をさらに備える、上記Ｃ１３に記載の方法。
［Ｃ１５］
ワイヤレス通信ネットワークにおいて第１のレイテンシモードおよび第２のレイテンシモードを構成することと、ここにおいて、前記第１のレイテンシモードでの送信が、送信と、前記送信の受信の確認応答との間の第１のラウンドトリップ時間（ＲＴＴ）を有し、前記第２のレイテンシモードでの送信が、前記第１のＲＴＴよりも小さい第２のＲＴＴを有し、
前記第２のレイテンシモードの使用をトリガするために、前記ワイヤレス通信ネットワークにおいて動作するデバイスのためのリソースを構成することと
を備える、ワイヤレス通信のための方法。
［Ｃ１６］
前記リソースが専用時間リソースまたは周波数リソースのうちの１つを備える、上記Ｃ１５に記載の方法。
［Ｃ１７］
前記周波数リソースが、監視することのために連続的に利用可能な専用周波数分割多重化（ＦＤＭ）サブバンドを備える、上記Ｃ１６に記載の方法。
［Ｃ１８］
前記第２のレイテンシモードが、専用コンポーネントキャリア上で動作するように構成された、上記Ｃ１６に記載の方法。
［Ｃ１９］
前記専用コンポーネントキャリアがセカンダリセル（ＳＣｅｌｌ）コンポーネントキャリアとして構成された、上記Ｃ１８に記載の方法。
［Ｃ２０］
前記ＳＣｅｌｌコンポーネントキャリア上のリソースが、プライマリセル（ＰＣｅｌｌ）コンポーネントキャリアを使用して基地局によって割り当てられ、前記ＳＣｅｌｌコンポーネントキャリアにおける複数のリソースが、前記ＰＣｅｌｌコンポーネントキャリアの単一のリソースを使用して割り当てられる、上記Ｃ１９に記載の方法。
［Ｃ２１］
前記ＳＣｅｌｌコンポーネントキャリア上のリソースが、前記ＳＣｅｌｌコンポーネントキャリア内の単一のスケジューリングリソースを使用して基地局によって割り当てられる、上記Ｃ１９に記載の方法。
［Ｃ２２］
前記ＳＣｅｌｌコンポーネントキャリアにおける複数のリソースのための送信の受信の確認応答が、前記ＰＣｅｌｌコンポーネントキャリアの単一のリソースによって与えられる、上記Ｃ１９に記載の方法。
［Ｃ２３］
前記第１のレイテンシモードおよび前記第２のレイテンシモードを構成することが、    第１のレイテンシモード通信のためのコンポーネントキャリア内のリソースの第１のサブセットを構成することと、第２のレイテンシモード通信のための前記コンポーネントキャリア内のリソースの第２のサブセットを構成することと
を備える、上記Ｃ１５に記載の方法。
［Ｃ２４］
リソースの前記第１のサブセットおよびリソースの前記第２のサブセットが、前記第２のレイテンシモードを使用して送信されるべきデータの量に基づいて動的に構成された、上記Ｃ２３に記載の方法。
［Ｃ２５］
前記第１のレイテンシモードおよび前記第２のレイテンシモードを構成することが、    前記第１のレイテンシモードを使用して動作するように第１のコンポーネントキャリアを構成することと、
前記第２のレイテンシモードを使用して動作するように第２のコンポーネントキャリアを構成することと
を備える、上記Ｃ１５に記載の方法。
［Ｃ２６］
前記リソースが、監視することのために連続的に利用可能な前記第２のコンポーネントキャリア内の専用周波数分割多重化（ＦＤＭ）サブバンドを備える、上記Ｃ２５に記載の方法。
［Ｃ２７］
前記リソースが動的にまたは半静的に構成された、上記Ｃ１５に記載の方法。
［Ｃ２８］
前記リソースが、前記第１のレイテンシモードを使用して送信されるリソースブロックのあらかじめ定義されたグループである、上記Ｃ２７に記載の方法。
［Ｃ２９］
前記リソースが、前記第１のレイテンシモードを使用して送信される時分割多重化サブフレーム中の１つまたは複数のシンボルである、上記Ｃ１５に記載の方法。
［Ｃ３０］
ワイヤレス通信のための装置であって、
ワイヤレス通信ネットワークにおいて第１のレイテンシモードおよび第２のレイテンシモードを構成するための手段と、ここにおいて、前記第１のレイテンシモードでの送信が、送信と、前記送信の受信の確認応答との間の第１のラウンドトリップ時間（ＲＴＴ）を有し、前記第２のレイテンシモードでの送信が、前記第１のＲＴＴよりも小さい第２のＲＴＴを有し、
前記第２のレイテンシモードの使用をトリガするために、前記ワイヤレス通信ネットワークにおいて動作するデバイスのためのリソースを構成するための手段と
を備える、ワイヤレス通信のための装置。
【図１】
2018198450.tif 000003
【図２】
2018198450.tif 000004
【図３】
2018198450.tif 000005
【図４】
2018198450.tif 000006
【図５】
2018198450.tif 000007
【図６】
2018198450.tif 000008
【図７】
2018198450.tif 000009
【図８Ａ】
2018198450.tif 000010
【図８Ｂ】
2018198450.tif 000011
【図８Ｃ】
2018198450.tif 000012
【図９Ａ】
2018198450.tif 000013
【図９Ｂ】
2018198450.tif 000014
【図１０Ａ】
2018198450.tif 000015
【図１０Ｂ】
2018198450.tif 000016
【図１０Ｃ】
2018198450.tif 000017
【図１１Ａ】
2018198450.tif 000018
【図１１Ｂ】
2018198450.tif 000019
【図１２】
2018198450.tif 000020
【図１３】
2018198450.tif 000021
【図１４】
2018198450.tif 000022
【図１５】
2018198450.tif 000023
【図１６】
2018198450.tif 000024
【図１７】
2018198450.tif 000025
【図１８】
2018198450.tif 000026
【手続補正書】
【提出日】平成30年9月6日(2018.9.6)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ワイヤレス通信ネットワークにおいて第１のレイテンシモードおよび第２のレイテンシモードを構成することと、ここにおいて、前記第１のレイテンシモードでの送信が、送信と、前記送信の受信の確認応答との間の第１のラウンドトリップ時間（ＲＴＴ）を有し、前記第２のレイテンシモードでの送信が、前記第１のＲＴＴよりも小さい第２のＲＴＴを有し、
前記第２のレイテンシモードの使用をトリガするために、前記ワイヤレス通信ネットワークにおいて動作するデバイスのためのリソースを構成することと
を備える、方法。
【請求項２】
前記リソースが専用時間リソースまたは周波数リソースのうちの１つを備える、請求項１に記載の方法。
【請求項３】
前記周波数リソースが、監視することのために連続的に利用可能な専用周波数分割多重化（ＦＤＭ）サブバンドを備える、請求項２に記載の方法。
【請求項４】
前記第２のレイテンシモードが、専用コンポーネントキャリア上で動作するように構成された、請求項２に記載の方法。
【請求項５】
前記専用コンポーネントキャリアがセカンダリセル（ＳＣｅｌｌ）コンポーネントキャリアとして構成された、請求項４に記載の方法。
【請求項６】
前記ＳＣｅｌｌコンポーネントキャリア上のリソースが、プライマリセル（ＰＣｅｌｌ）コンポーネントキャリアを使用して基地局によって割り当てられ、前記ＳＣｅｌｌコンポーネントキャリアにおける複数のリソースが、前記ＰＣｅｌｌコンポーネントキャリアの単一のリソースを使用して割り当てられる、請求項５に記載の方法。
【請求項７】
前記ＳＣｅｌｌコンポーネントキャリア上のリソースが、前記ＳＣｅｌｌコンポーネントキャリア内の単一のスケジューリングリソースを使用して基地局によって割り当てられる、請求項５に記載の方法。
【請求項８】
前記ＳＣｅｌｌコンポーネントキャリアにおける複数のリソースのための送信の受信の確認応答が、前記ＰＣｅｌｌコンポーネントキャリアの単一のリソースによって与えられる、請求項５に記載の方法。
【請求項９】
前記第１のレイテンシモードおよび前記第２のレイテンシモードを構成することが、
第１のレイテンシモード通信のためのコンポーネントキャリア内のリソースの第１のサブセットを構成することと、第２のレイテンシモード通信のための前記コンポーネントキャリア内のリソースの第２のサブセットを構成することと
を備える、請求項１に記載の方法。
【請求項１０】
リソースの前記第１のサブセットおよびリソースの前記第２のサブセットが、前記第２のレイテンシモードを使用して送信されるべきデータの量に基づいて動的に構成された、請求項９に記載の方法。
【請求項１１】
前記第１のレイテンシモードおよび前記第２のレイテンシモードを構成することが、
前記第１のレイテンシモードを使用して動作するように第１のコンポーネントキャリアを構成することと、
前記第２のレイテンシモードを使用して動作するように第２のコンポーネントキャリアを構成することと
を備える、請求項１に記載の方法。
【請求項１２】
前記リソースが、監視することのために連続的に利用可能な前記第２のコンポーネントキャリア内の専用周波数分割多重化（ＦＤＭ）サブバンドを備える、請求項１１に記載の方法。
【請求項１３】
前記リソースが動的にまたは半静的に構成され、好ましくは、前記リソースが、前記第１のレイテンシモードを使用して送信されるリソースブロックのあらかじめ定義されたグループである、請求項１に記載の方法。
【請求項１４】
前記リソースが、前記第１のレイテンシモードを使用して送信される時分割多重化サブフレーム中の１つまたは複数のシンボルである、請求項１に記載の方法。
【請求項１５】
ワイヤレス通信のための装置であって、
ワイヤレス通信ネットワークにおいて第１のレイテンシモードおよび第２のレイテンシモードを構成するための手段と、ここにおいて、前記第１のレイテンシモードでの送信が、送信と、前記送信の受信の確認応答との間の第１のラウンドトリップ時間（ＲＴＴ）を有し、前記第２のレイテンシモードでの送信が、前記第１のＲＴＴよりも小さい第２のＲＴＴを有し、
前記第２のレイテンシモードの使用をトリガするために、前記ワイヤレス通信ネットワークにおいて動作するデバイスのためのリソースを構成するための手段と
を備える、装置。